(57)【要約】【課題】駐車料金として、予め定めた駐車料金が支払われた場合、予め定めた時間内での同一車両の複数回の入出庫に対して更なる課金をしないようにした駐車場の料金管理システム及びその装置を提供する。【解決手段】駐車場を利用する使用者に継続的に貸与され、駐車関連情報の書き込み及び読み出し自在な特別駐車券と、特別駐車券処理手段と、車両入出庫制御手段とから構成されているパークロック式駐車場管理システムに於いて、て、当該駐車料金を修正する様に構成したことを特徴とする駐車場の料金管理システ駐車場利用実績に応じた、駐車料金に対する特定のサービスプログラムを適用する。【選択図】図１
2013125485.tif 000002
【特許請求の範囲】
【請求項１】
複数個の車両駐車スペースと当該個々の車両駐車スペースを個別に制御可能な中央演算制御手段とから構成された駐車場管理システムであって、当該中央演算制御手段には、時刻情報発生手段と、少なくとも当該車両の当該車両駐車スペースへの入庫時刻と当該車両駐車スペースからの出庫時刻とから当該車両の駐車料金を演算する第１の演算手段と、当該演算された所定の駐車料金を表示する表示手段と、当該所定の駐車料金を受け入れる駐車料金納入手段と、当該表示手段に表示された当該駐車料金金額と当該駐車料金納入手段に入金された金額とが一致するか否かを判断する第２の演算手段と、当該車両のユーザーが当該車両を当該車両駐車スペースから出庫する際に当該車両駐車スペースの識別番号を入力する車両駐車スペース識別番号入力手段とが設けられると共に、当該それぞれの車両駐車スペースには、当該車両の入庫時点を検出する、当該中央演算制御手段と接続された車両入庫センサー手段、及び当該中央演算制御手段からの制御信号に応答して、それぞれ、車両の入出庫を許可する入出庫許可状態と当該車両の入出庫を不許可する入出庫不許可状態の何れかに選択的に設定できる車両入出庫制御手段が設けられておりが設けられていると同時に、当該中央演算制御手段と接続され、当該個々の車両駐車スペースに対応し、当該各車両駐車スペースの識別番号及び少なくとも当該各車両駐車スペースへの当該車両の入庫時刻を記憶する駐車情報記憶手段とが設けられている駐車場管理システムに於いて、当該中央演算制御手段には、少なくとも一種のサービスプログラムを内蔵するサービスプログラム記憶手段を設けると共に、当該サービスプログラム記憶手段に記憶された当該サービスプログラムに基づいて、当該駐車料金演算手段により演算された当該駐車料金を修正する演算処理を実行し、当該修正された駐車料金を当該表示手段に表示する当該表示手段と接続された駐車料金修正処理を実行する第３の演算手段とを設け、且つ、当該中央演算制御手段と接続された、当該車両の使用者に固有の特別駐車券を挿入する為の特別駐車券挿入手段を設け、一方当該特別駐車券には、少なくとも、当該サービスプログラムの実行に必要な当該特別駐車券識別番号と、前回の駐車料金精算時刻と、所定期間内に於ける当該駐車料金の累積支払額とが記憶されている事を特徴とする駐車場管理システム。
【請求項２】
当該サービスプログラム記憶手段に記憶されている当該サービスプログラムは、当該通常の駐車料金総額に対する一定額の減額サービス処理、当該通常の駐車料金総額に対する累進性定額の減額サービス処理、当該通常の駐車料金に対するポイントの付与サービス処理、２４時間最大料金制出し入れ自在サービス処理、月間内最大料金制出し入れ自在サービス処理から選択された一つである特徴とする請求項１に記載の駐車場管理システム。
【請求項３】
当該サービスプログラム記憶手段に記憶されている当該サービスプログラムは、２４時間最大料金制出し入れ自在サービス処理を実行するものである特徴とする請求項２に記載の駐車場管理システム。
【請求項４】
当該サービスプログラム記憶手段に記憶されている当該サービスプログラムは、２４時間最大料金制出し入れ自在サービス処理と月間内最大料金制出し入れ自在サービス処理とが併用されたサービス処理を実行するものである特徴とする請求項２又は３に記載の駐車場管理システム。
【請求項５】
当該特別駐車券には、有効期限を設定しておく事を特徴とする請求項１乃至４の何れかに記載の駐車場管理システム。
【請求項６】
当該特別駐車券の発売手段が、当該駐車場管理システムの近傍に配置されている事を特徴とする請求項１乃至５の何れかに記載の駐車場管理システム。
【請求項７】
当該中央演算制御手段は、当該車両駐車スペース識別番号入力手段に、当該ユーザーにより車両駐車スペース識別番号が入力された時点を、当該車両が当該所定の車両駐車スペースを出庫した時刻と判断する様に構成されている事を特徴とする請求項１乃至６の何れかに記載の駐車場管理システム。
【請求項８】
当該特別駐車券内に記録されている、当該所定の車両駐車スペース内に当該車両が入庫した時刻情報と、当該前回の精算時刻情報とから、当該特別駐車券の有効性を判断する第４の演算手段が当該中央演算制御手段内に設けられている特徴とする請求項１に記載の駐車場管理システム。
【請求項９】
当該それぞれの車両駐車スペースに於ける当該車両の出庫時刻は、当該ユーザーが当該車両駐車スペース識別番号入力手段を操作した時点、当該ユーザーが当該車両駐車スペース識別番号入力手段を操作した時点から予め定められた時間が経過した後の時点或いは、当該車両駐車スペース識別番号入力手段が操作されて、それに応答して当該中央演算制御手段が、当該車両入出庫制御手段を入出庫不許可状態に設定した時点の何れかが選択される様に構成されている事を特徴とする請求項１乃至３の何れかに記載の駐車場管理システム。
【請求項１０】
複数個の車両駐車スペースと当該個々の車両駐車スペースを個別に制御可能な中央演算制御手段とから構成された駐車場管理システムであって、当該中央演算制御手段には、時刻情報発生手段と、少なくとも当該車両の当該車両駐車スペースへの入庫時刻と当該車両駐車スペースからの出庫時刻とから当該車両の駐車料金を演算する第１の演算手段と、当該演算された所定の駐車料金を表示する表示手段と、当該所定の駐車料金を受け入れる駐車料金納入手段と、当該表示手段に表示された当該駐車料金金額と当該駐車料金納入手段に入金された金額とが一致するか否かを判断する第２の演算手段と、当該車両のユーザーが当該車両を当該車両駐車スペースから出庫する際に当該車両駐車スペースの識別番号を入力する車両駐車スペース識別番号入力手段とが設けられると共に、当該それぞれの車両駐車スペースには、当該車両の入庫時点を検出する、当該中央演算制御手段と接続された車両入庫センサー手段、及び当該中央演算制御手段からの制御信号に応答して、それぞれ、車両の入出庫を許可する入出庫許可状態と当該車両の入出庫を不許可する入出庫不許可状態の何れかに選択的に設定できる車両入出庫制御手段が設けられておりが設けられていると同時に、当該中央演算制御手段と接続され、当該個々の車両駐車スペースに対応し、当該各車両駐車スペースの識別番号及び少なくとも当該各車両駐車スペースへの当該車両の入庫時刻を記憶する駐車情報記憶手段とが設けられている駐車場管理システムに於いて、当該中央演算制御手段に設けたサービスプログラム記憶手段に、少なくとも一種のサービスプログラムを内蔵させると共に、当該中央演算制御手段に接続された、当該車両の使用者に固有の特別駐車券を挿入する為の特別駐車券挿入手段を設け、当該特別駐車券挿入手段に当該ユーザー固有の特別駐車券が挿入された場合に、当該特別駐車券により特定された当該サービスプログラムに基づいて、当該駐車料金演算手段により演算された当該駐車料金を修正する演算処理を実行し、当該修正された駐車料金を当該表示手段に表示する様に構成されている事を特徴とする駐車場管理方法。
【請求項１１】
当該ユーザー固有の特別駐車券には、少なくとも、当該サービスプログラムの実行に必要な当該特別駐車券識別番号と、前回の駐車料金精算時刻と、所定期間内に於ける当該駐車料金の累積支払額とが記憶されている事を特徴とする請求項１０に記載の駐車場管理方法。
【発明の詳細な説明】
【技術分野】
【０００１】
本発明は、駐車場の料金管理システムに係わり、特には、パークロックシステムと称される、複数個の車両駐車スペースのそれぞれに固有のパークロック装置を設けて、車両の入出庫許可状態を管理するパークロック式駐車場管理方法或いはそのシステムの改良に関するものである。
【背景技術】
【０００２】
即ち、上記したパークロックシステムとは、例えば、特開２００１−１７５９９６号公報（特許文献１）或いは特開平６−３６０９７号公報（特許文献２）等に開示されている様な構造を有するシステム及び装置であり、より具体的には、図１４に示す様に、その駐車場の出入口１０１には、中央演算制御装置１が、またその駐車場の各駐車スペ−ス２ａ，２ｂ、…２ｎにはロック板式の車両入出庫制御手段ｂ，ｂ…がそれぞれ設置されている。
一方、当該中央演算制御装置１は、その操作パネル１１０には、周知の中央演算制御装置と同様に、駐車料金を表示する表示部１１１と、車両入出庫制御手段ｂの識別番号ＩＤ
等を入力するテンキ−１１２と、精算をコイン（硬貨）で行う際の投入口１１３と、精算を紙幣又はカ−ドで行う際の挿入口１１４と、釣銭の取出口１１５とが設けられている。
そして、当該中央演算制御装置１には、制御手段Ｃ１が設けられていて、各車両入出庫制御手段ｂ，ｂ…に設けられている車両入出庫制御器Ｃ２
、Ｃ２ …と通信回線を介して接続されている。
【０００３】
一方、図１５は、当該公知の車両入出庫制御手段ｂの構成の一例を示す斜視図であって、この車両入出庫制御手段ｂは、各駐車スペ−ス２ａ〜２ｎの地面の片側中央部に設けられ、駐車した車両の片側の前後の車両Ｗ，Ｗ間で、その車両Ｗ，Ｗを結ぶ線と車両入出庫制御手段ｂの長手方向とが直交する関係を保って設けられている。
そして、この車両入出庫制御手段ｂは、周知のロック板式の駐車機で用いられている機構と同様に、図示しないが、直流のモ−タＭの回転軸とロック板１２０の回転軸とを、平歯車の組合せを介して連結し、ロック板１２０が実線で示される位置まで降下するとともに、二点鎖線で示される位置まで上昇することができるように構成されている。
【０００４】
このロック板１２０は、車両入出庫制御手段ｂを長手方向と直交する面で切断したときに表れる台形の一方の斜面を形成し、ロック板１２０が降下しているときに、台形となって車両Ｗの通過を許し、ロック板１２０が上昇したときに、車両Ｗの通過を阻止するように作用する。
又、図１５に於いて、Ｓ，Ｓは、駐車車両入出庫制御手段ｂの一端側（駐車スペ−ス側）と他端のスタンドｂ′との間の設けられた光電素子からなるセンサで、車両の有無を検出することができるように構成されている。
【０００５】
更に、スタンドｂ′には、ロック板１２０が降下していて、駐車可能又は退出可能なときは滅灯し、ロック板１２０が上昇していて退出不可なときに点灯する赤色ランプ１２１が設けられている様に構成されたものである。
現在時点では、多くの駐車場が係るシステムを導入している。
係るパークロック式駐車場管理方法は、複数個の車両駐車スペースを個別に且つ無人状態で効率的に管理するシステムとしては、優れたシステムとして知られているが、反面、当該各車両駐車スペースに入出庫する車両の駐車料金の設定は、固定的にならざるを得ず、ユーザーが希望する種々のサービスを簡易に且つ容易に提供する事が不可能であり、他社の駐車場管理システムに対して差別化するサービスの提供が出来ないと言う問題が存在している。
【先行技術文献】
【特許文献】
【０００６】
【特許文献１】特開２００１−１７５９９６号公報
【特許文献２】特開平６−３６０９７号公報
【発明の概要】
【発明が解決しようとする課題】
【０００７】
本願発明は、上記した点に鑑みてなされたものであり、その目的とするところは、パークロック式駐車場管理システム或いはパークロック式駐車場管理方法に於いて、当該車両駐車スペースを利用したユーザーに対して、当該車両駐車スペースを利用した駐車時間に対応して算出された通常の駐車料金に対して、当該ユーザーに好まれる様な、所定の割引サービス、減額サービス等を容易に且つフレキシブルで然も効率的に提供出来る駐車場管理方法或いは駐車場管理システムを構築し、それによって、ユーザ―数の向上、リピーターユーザーの確保を可能とするパークロック式駐車場管理方法或いはパークロック式駐車場管理システムを提供するものである。
【課題を解決するための手段】
【０００８】
本発明は、上記した目的を達成するために、基本的には、従来から実行されている当該パークロック式駐車場管理システム或いはパークロック式駐車場管理方法に、当該車両駐車スペースを利用する各ユーザーが個別に使用する特別駐車券を併用すると言う技術構成を採用するものであり、その具体的な技術構成としては、例えば、複数個の車両駐車スペースと当該個々の車両駐車スペースを個別に制御可能な中央演算制御手段とから構成された駐車場管理システムであって、当該中央演算制御手段には、時刻情報発生手段と、少なくとも当該車両の当該車両駐車スペースへの入庫時刻と当該車両駐車スペースからの出庫時刻とから当該車両の駐車料金を演算する第１の演算手段と、当該演算された所定の駐車料金を表示する表示手段と、当該所定の駐車料金を受け入れる駐車料金納入手段と、当該表示手段に表示された当該駐車料金金額と当該駐車料金納入手段に入金された金額とが一致するか否かを判断する第２の演算手段と、当該車両のユーザーが当該車両を当該車両駐車スペースから出庫する際に当該車両駐車スペースの識別番号を入力する車両駐車スペース識別番号入力手段とが設けられると共に、当該それぞれの車両駐車スペースには、当該車両の入庫時点を検出する、当該中央演算制御手段と接続された車両入庫センサー手段、及び当該中央演算制御手段からの制御信号に応答して、それぞれ、車両の入出庫を許可する入出庫許可状態と当該車両の入出庫を不許可する入出庫不許可状態の何れかに選択的に設定できる車両入出庫制御手段が設けられておりが設けられていると同時に、当該中央演算制御手段と接続され、当該個々の車両駐車スペースに対応し、当該各車両駐車スペースの識別番号及び少なくとも当該各車両駐車スペースへの当該車両の入庫時刻を記憶する駐車情報記憶手段とが設けられている駐車場管理システムに於いて、当該中央演算制御手段には、少なくとも一種のサービスプログラムを内蔵するサービスプログラム記憶手段を設けると共に、当該サービスプログラム記憶手段に記憶された当該サービスプログラムに基づいて、当該駐車料金演算手段により演算された当該駐車料金を修正する演算処理を実行し、当該修正された駐車料金を当該表示手段に表示する当該表示手段と接続された駐車料金修正処理を実行する第３の演算手段とを設け、且つ、当該中央演算制御手段と接続された、当該車両の使用者に固有の特別駐車券を挿入する為の特別駐車券挿入手段を設け、一方当該特別駐車券には、少なくとも、当該サービスプログラムの実行に必要な当該特別駐車券識別番号と、前回の駐車料金精算時刻と、所定期間内に於ける当該駐車料金の累積支払額とが記憶されている事を特徴とする駐車場管理システムである。
【０００９】
又、本発明に係る第２の態様は、複数個の車両駐車スペースと当該個々の車両駐車スペースを個別に制御可能な中央演算制御手段とから構成された駐車場管理システムであって、当該中央演算制御手段には、時刻情報発生手段と、少なくとも当該車両の当該車両駐車スペースへの入庫時刻と当該車両駐車スペースからの出庫時刻とから当該車両の駐車料金を演算する第１の演算手段と、当該演算された所定の駐車料金を表示する表示手段と、当該所定の駐車料金を受け入れる駐車料金納入手段と、当該表示手段に表示された当該駐車料金金額と当該駐車料金納入手段に入金された金額とが一致するか否かを判断する第２の演算手段と、当該車両のユーザーが当該車両を当該車両駐車スペースから出庫する際に当該車両駐車スペースの識別番号を入力する車両駐車スペース識別番号入力手段とが設けられると共に、当該それぞれの車両駐車スペースには、当該車両の入庫時点を検出する、当該中央演算制御手段と接続された車両入庫センサー手段、及び当該中央演算制御手段からの制御信号に応答して、それぞれ、車両の入出庫を許可する入出庫許可状態と当該車両の入出庫を不許可する入出庫不許可状態の何れかに選択的に設定できる車両入出庫制御手段が設けられておりが設けられていると同時に、当該中央演算制御手段と接続され、当該個々の車両駐車スペースに対応し、当該各車両駐車スペースの識別番号及び少なくとも当該各車両駐車スペースへの当該車両の入庫時刻を記憶する駐車情報記憶手段とが設けられている駐車場管理システムに於いて、当該中央演算制御手段に設けたサービスプログラム記憶手段に、少なくとも一種のサービスプログラムを内蔵させると共に、当該中央演算制御手段に接続された、当該車両の使用者に固有の特別駐車券を挿入する為の特別駐車券挿入手段を設け、当該特別駐車券挿入手段に当該ユーザー固有の特別駐車券が挿入された場合に、当該特別駐車券により特定された当該サービスプログラムに基づいて、当該駐車料金演算手段により演算された当該駐車料金を修正する演算処理を実行し、当該修正された駐車料金を当該表示手段に表示する様に構成されている事を特徴とする駐車場管理方法である。
【発明の効果】
【００１０】
本発明の駐車場の料金管理装置は、上記のように構成したので、以下のような効果を奏する。
（１）従来のパークロック式駐車場管理方法或いはそのシステムに於いては、実行不可能であった、各種の特別なサービスを、任意に当該車両駐車スペースを利用したユーザーに対して容易に且つフレキシブルで、然も効率的に提供する事が出来るので、当該車両駐車スペースを利用した駐車時間に対応して算出された従来方式による通常の駐車料金に対して、当該ユーザーに好まれる様な、所定の割引サービス或いは減額サービス若しくは例えばポイント付与サービス等を提供出来るので、それによって、ユーザ―数の向上、リピーターユーザーの確保を可能とするパークロック式駐車場管理方法或いはパークロック式駐車場管理システムを提供するものである。
（２）更に、本発明に於いては、当該パークロック式駐車場を利用するユーザーに対して、別途用意した特定のデータ記憶手段を有する当該カード状情報記憶媒体である特別駐車券を、例えば会員制カードの様な形式で、有料若しくは無料で発券し、所定の期間、当該特別駐車券を有効として使用させ、当該ユーザーに、駐車場を複数回積極的に利用しようとするモチベーション喚起させることができる。
（３）又、本発明に於いては、個々の利用者つまり当該駐車料のユーザーとそれぞれ個別に定期契約書を交わさずに定期利用と同等のサービスを提供できる様になり、日極め或は月極めの料金システムを実現する駐車場を提供することも可能となるので、顧客の更なる取り込みが可能になった。
（４）駐車場内の空きスペースを常時確認し、表示する事が可能となるので、ユーザーに対する便宜を提供することが可能になった。
（５）無人化により管理人の駐在する施設の撤廃、及びゲート装置の撤去等による大幅なスペースの削減とコスト削減が実現する。
（６）当該特別駐車券に記憶される駐車情報と車両及び特定の車両駐車スペースとの対応は特別に設定していないので、ユーザーは、複数箇所にある当該駐車場が、チェイン店の様なシステムで相互に連携している場合には、ユーザーは、最も利便性の高い幾つかの駐車場を、任意に選択して利用することが可能であるので、より利便性が向上する。
（７）更に、当該特別駐車券に所定の期間における駐車料金の累積金額を記憶させておくことが出来るので、駐車場管理システム側のデータ保存手段に於ける記憶装置の容量を削減でき、コスト低減が可能となる。
【図面の簡単な説明】
【００１１】
【図１】図１は、本発明に係る駐車場管理システムの一具体例のハードウエアの構成を示すブロック図である。
【図２】図２（Ａ）及び図２（Ｂ）は、本発明に係る駐車場管理システムの一具体例に於いて使用される当該特別駐車券１４内のデータ構成を説明する図である。
【図３】図３（Ａ）は、本発明に係る駐車場管理システムの一具体例に於いて使用される当該在車ファイル内のデータ構成を説明する図であり、図３（Ｂ）は、本発明に係る駐車場管理システムの一具体例に於いて使用される当該特別駐車券出庫ファイル内のデータ構成を説明する図である。
【図４】図４は、本発明に係る駐車場管理システムに於ける、月極めの駐車料金発生パターンの一例を示す図である。
【図５】図５は、本発明に係る駐車場管理システムの入庫管理プログラムの一例を示すフローチャートである。
【図６】図６は、本発明に係る駐車場管理システムに於ける駐車料金の演算及びその納入手順の一例を説明するフローチャートである。
【図７】図７は、本発明に係る駐車場管理システムの出庫管理プログラムの一例を示すフローチャートである。
【図８】図８は、本発明に係る駐車場管理システムの出庫管理プログラムの他の例を示すフローチャートである。
【図９】図９は、本発明に係る駐車場管理システムに於いて月極めの駐車料金発生パターンの一例を示す図である。
【図１０】本発明に係る駐車場管理システムに於ける、別の具体例に於いて使用される料金演算処理操作の具体例を示すフローチャートである。
【図１１】本発明に係る駐車場管理システムに於ける、日極めの駐車料金処理操作の一具体例における操作手順を説明するフローチャートである。
【図１２】本発明に係る駐車場管理システムに於ける、日極めの駐車料金処理操作の一具体例における操作手順を説明するフローチャートである。
【図１３】本発明に係る駐車場管理システムに於ける、日極めの駐車料金処理操作の一具体例における操作手順を説明するフローチャートである。
【図１４】図１４は、従来に於けるパークロック式駐車場管理システムの構成の一例を示すブロック図である。
【図１５】図１５は、従来に於けるパークロック式駐車場管理システムに於いて使用されている車両入出庫制御手段の一具体例の構成を説明する図である。
【図１６】図１６は、本発明に係る駐車場管理システムの他の具体例におけるハードウエアの構成を示すブロック図である。
【発明を実施するための形態】
【００１２】
以下に、本発明の駐車場料金管理システムの具体的な態様についての一具体例の構成について図面を参照しながら詳細に説明する。
即ち、図１は、本発明の駐車場の料金管理ステム１００の具体的な態様についての構成を実現する為に使用される駐車場の料金管理システムの一具体例を示す図であって、係る図１の構成を参照しながら本発明を詳細に説明する。
つまり、図１は、本発明に係る当該駐車場の料金管理ステム１００の一具体例を説明するブロック図であって、図中、複数個の車両駐車スペース２と当該個々の車両駐車スペース２を個別に制御可能な中央演算制御手段１とから構成された駐車場管理システム１００であって、当該中央演算制御手段１には、時刻情報発生手段３と、少なくとも当該車両の当該車両駐車スペース２への入庫時刻と当該車両駐車スペース２からの出庫時刻とから当該車両の駐車料金を演算する第１の演算手段４と、当該演算された所定の駐車料金を表示する表示手段５と、当該所定の駐車料金を受け入れる駐車料金納入手段６と、当該表示手段５に表示された当該駐車料金金額と当該駐車料金納入手段６に入金された金額とが一致するか否かを判断する第２の演算手段７と、当該車両のユーザーが当該車両を当該車両駐車スペース２から出庫する際に当該車両駐車スペース２の識別番号ＩＤを入力する車両駐車スペース識別番号入力手段８とが設けられると共に、当該それぞれの車両駐車スペース２には、当該車両の入庫時点を検出する、当該中央演算制御手段１と接続された車両入庫センサー手段９、及び当該中央演算制御手段１からの制御信号に応答して、それぞれ、車両の入出庫を許可する入出庫許可状態と当該車両の入出庫を不許可する入出庫不許可状態の何れかに選択的に設定できる車両入出庫制御手段１０が設けられておりが設けられていると同時に、当該中央演算制御手段１と接続され、当該個々の車両駐車スペース２に対応し、当該各車両駐車スペースの識別番号ＩＤ及び少なくとも当該各車両駐車スペース２への当該車両の入庫時刻を記憶する駐車情報記憶手段１１とが設けられている駐車場管理システム１００に於いて、当該中央演算制御手段１には、少なくとも一種のサービスプログラムを内蔵するサービスプログラム記憶手段を設けると共に、当該サービスプログラム記憶手段１２に記憶された当該サービスプログラムに基づいて、当該駐車料金演算手段である当該第１の演算手段４により演算された当該駐車料金を修正する演算処理を実行し、当該修正された駐車料金を当該表示手段５に表示する当該表示手段５と接続された駐車料金修正処理を実行する第３の演算手段１３とを設け、且つ、当該中央演算制御手段１と接続された、当該車両の使用者に固有の特別駐車券１４を挿入する為の特別駐車券挿入手段１５を設け、一方当該特別駐車券１４には、少なくとも、当該サービスプログラムの実行に必要な当該特別駐車券識別番号ＩＤと、前回の駐車料金精算時刻と、所定期間内に於ける当該駐車料金の累積支払額とが記憶されている事を特徴とする駐車場管理システム１００が示されている。
【００１３】
上記した本発明に於ける当該駐車場管理システム１００の具体例を更に詳細に説明するならば、本発明に於いては、当該駐車場管理システム１００は少なくとも一つの中央演算制御手段１と当該中央演算制御手段１によって個別的に車両の駐車状況が管理される複数個の車両駐車スペース（２−１、２−２、２−３．・・・・２−Ｎ）とから構成されているものであり、当該各車両駐車スペース２には、上記した様に、図１４及び図１５に例示される様な構造を有する車両入出庫制御手段１０がそれぞれ個別的に設けられていると同時に、当該車両駐車スペース２内に車両が存在するか否か、或いは当該車両駐車スペース２内に車両が入庫したか否か、或いは当該車両駐車スペース２から車両が出庫したか否かを判断する為のセンサー手段９が設けられている。
当該車両入出庫制御手段１０は、例えば、当該センサー手段９が、当該車両駐車スペース２内に入庫した事を検出した際に、当該センサー手段９からの車両入庫検出信号が当該中央演算制御手段１に報知され、当該センサー手段９の車両入庫検出信号に応答して当該中央演算制御手段１から、例えば、適宜の車両入出庫制御演算手段１０‘を介して当該車両が入庫した車両駐車スペース２に設けられた、当該車両入出庫制御手段１０の例えば図１５に示されたロック板１２０を起立或いは上方に傾斜状に持ち上げて、入出庫不許可状態に設定される事になる。
【００１４】
又、当該車両入出庫制御手段１０は、当該センサー手段９が、当該車両駐車スペース２内に入庫した当該車両が当該車両駐車スペース２から出庫した事を検出した場合、或いは、当該車両駐車スペース識別番号入力手段８に、当該ユーザーによって、所定の車両駐車スペース２に対応する車両駐車スペースの識別番号ＩＤが入力された時刻から予め定められた所定の時間が経過した時点、若しくは、当該駐車料金納入手段８に所定金額の駐車料金が納入され、当該中央演算制御手段１内に設けられた駐車料金納入有無確認手段である当該第２の演算手段７により、当該表示手段５に表示された所定の駐車料金が完納されたとする判断結果が出力された時点で、当該車両入出庫制御手段１０である当該ロック板１２０を当該車両駐車スペース２の床面と平行に且つ当該床面と面一の状態に変位させ、当該車両に対する入出庫許可状態となる様に設定される。
一方、当該中央演算制御手段１には、適宜の時刻情報を発生する時刻情報発生手段３が設けられており、前記したセンサー手段９が、所定の車両駐車スペース２内に入庫した事を検出した場合、当該検出時刻を当該時刻情報発生手段３の情報を参照して当該車両が当該車両駐車スペース２に駐車の為に入庫した時刻と判断し、その検出時刻を例えば当該駐車情報記憶手段１１内に設けられた第２の記憶手段である車両入庫時刻記憶手段Ｍ２内に格納すると同時に、当該車両駐車スペース２の識別番号ＩＤを当該駐車情報記憶手段１１内に設けられた第３の記憶手段である車両駐車スペース識別番号記憶手段Ｍ３内に格納し記憶しておく。
【００１５】
尚、当該車両入庫時刻記憶手段Ｍ２内に格納された当該車両の当該車両駐車スペース内への入庫時刻情報及び当該車両駐車スペース２の識別番号ＩＤ情報は、当該中央演算制御手段１と当該車両駐車スペース２間で当該車両駐車スペース２に対応して設けられている当該車両駐車スペース２固有の記憶手段（第６の記憶手段）Ｍ６―１乃至Ｍ６―Ｎ内に記憶格納されていても良い。
一方、本発明に於いて、上記した様な方法の一つによって、当該車両駐車スペース２から当該車両が出庫したと判断される時刻が検出された場合には、当該車両の当該車両駐車スペース２からの出庫時刻は、当該時刻情報発生手段３の時刻情報を参照して決定すると共に、例えば、当該駐車情報記憶手段１１内に設けられた第６の記憶手段である車両出庫時刻記憶手段Ｍ６内に記憶格納される。
【００１６】
又、当該ユーザーが当該車両を所定の当該車両駐車スペース２から出庫させようとする場合には、当該ユーザーは、当該車両駐車スペース識別番号入力手段８を操作して、当該ユーザーが当該車両を駐車させた車両駐車スペース２に対応する識別番号ＩＤを入力すると、当該中央演算制御手段１は、例えば、当該第６の記憶手段Ｍ６―１乃至Ｍ６―Ｎの中から、当該識別番号ＩＤ（Ｎ）を持った車両駐車スペース２に対応する第６の記憶手段Ｍ６―Ｎを呼び出し、当該第６の記憶手段Ｍ６―Ｎ内に記憶されている当該車両の当該車両駐車スペース２内への入庫時刻情報を読み出すと共に当該中央演算制御手段１は、前記した当該駐車情報記憶手段１１内に設けられた第４の記憶手段である車両出庫時刻記憶手段Ｍ４内に記憶格納されている当該車両の当該車両駐車スペース２からの出庫時刻情報を読み出し、一方、当該通常の駐車料金演算プログラムが格納されている当該記憶手段である第１の記憶手段Ｍ１から所定の演算プログラムを読み出し、当該中央演算制御手段１内も設けられた駐車料金演算手段である第１の演算手段４に於いて、当該車両の当該車両駐車スペース２への入庫時刻情報と当該車両の当該車両駐車スペース２からの出庫時刻情報とから当該車両の当該車両駐車スペース２内での駐車時間を演算し、同時に、当該駐車時間に対応する所定の駐車料金を、当該読み出した駐車料金演算プログラムに基づいて算出し、その結果である今回の駐車時間に対応する駐車料金を演算し、その演算結果を当該表示手段５に表示するものである。
【００１７】
その後、当該ユーザーが、当該表示手段５に表示されている今回の駐車に対する駐車料金を当該駐車料金納入手段６に納入すると、当該中央演算制御手段１内に設けられた、駐車料金納入有無判別手段７によって、当該駐車料金納入手段６内に納入された駐車料金金額と当該表示手段５に表示された今回の駐車料金の金額とが一致するか否かが判断され、一致する場合には、当該車両入出庫制御手段１０を当該車両の入出庫許可状態に設定し、当該車両が当該車両駐車スペース２から出庫する事を可能にするが、万一、当該駐車料金納入手段６内に納入された駐車料金金額と当該表示手段５に表示された今回の駐車料金の金額とが一致しない場合には、当該表示手段５に当該今回の駐車料金の納入が不足していることを表示し、当該不足分に相当する金額の再納入を催促し、依然として当該不足の駐車料金が未納付である限り当該車両入出庫制御手段１０を入出庫不許可状態に維持するものである。
【００１８】
本発明に於いては、上記した構成からなる駐車場管理システム１００に於いて、更に当該ユーザー固有の特別駐車券１４を併用して使用するものであり、当該特別駐車券１４を併用する事によって、当該個々のユーザーに対して、当該駐車料金の支払いに関して、個別にきめ細かい、特別なサービスプログラムを提供出来る様に構成したものである。
即ち、当該中央演算制御手段１には、少なくとも一種のサービスプログラムを内蔵するサービスプログラム記憶手段１２（第５の記憶手段Ｍ５）を設けると共に、当該サービスプログラム記憶手段１２に記憶された当該サービスプログラムに基づいて、当該駐車料金演算手段である当該第１の演算手段４により演算された当該駐車料金を，当該中央演算制御手段１内に別途設けた駐車料金修正手段１３（第３の演算手段）に於いて修正する演算処理を行い、所定のサービス料金を算出し、その結果である当該修正された駐車料金を当該表示手段５に表示するものである。
【００１９】
係るサービスプログラムを実行する為に、本発明では、当該駐車場管理システム１００に於ける車両進入入口近傍或いは、当該駐車料金納入手段６の近傍に当該特別駐車券１４を発行する特別駐車券発行手段１６を設け、当該ユーザーが当該特別駐車券発行手段１６を操作することにより、所定の特別駐車券１４を有料若しくは無料で入手出来る様に構成しておくと同時に、当該中央演算制御手段１に、当該特別駐車券１４の挿入手段１５を設けておき、当該特別駐車券１４を所有するユーザーが、当該駐車料金を精算する際に、当該車両駐車スペース識別番号入力手段８を操作して、当該車両が駐車した当該車両駐車スペース２の識別番号ＩＤを入力して、所定の通常駐車料金が当該表示手段５に表示された時点で、当該特別駐車券１４を当該特別駐車券挿入手段１５に挿入することによって、当該特別駐車券１４が対応する特定のサービスプログラムが、当該第５の記憶手段Ｍ５である当該サービスプログラム記憶手段１２から読み出され、当該駐車料金修正手段１３である第３の演算手段に於いて、当該表示手段５に既に表示されている当該通常の駐車料金に当該プログラムで特定されている特定のサービスを加味した駐車料金を算出するための修正処理を実行し、その結果を改めて当該表示手段５に表示するものである。
当該ユーザーは、当該修正された今回の駐車料金を当該駐車料金納入手段６に納入する事により、今回の駐車料金の精算を完了すると、当該車両入出庫制御手段１０が入出庫許可状態に選択的に設定されて当該車両の出庫が可能となる。
【００２０】
本発明に於ける当該サービスプログラムは、一種類のみを当該サービスプログラム記憶手段１２（第５の記憶手段Ｍ５）内に格納記憶させておくものであっても良いが、複数種類のサービスプログラムを当該サービスプログラム記憶手段１２（第５の記憶手段Ｍ５）内に格納記憶させておき、当該ユーザーの選択によって、当該ユーザーが希望する当該サービスプログラムを選択出来る様に構成する事も可能である。
【００２１】
一方、本発明に於ける当該特別駐車券１４には、少なくとも、当該選択されたサービスプログラムの実行に必要な情報が記憶されている事が必要であり、当該情報としては、例えば、当該特別駐車券識別番号ＩＤと、入庫時刻情報、出庫時刻情報、今回の駐車時間、今回の駐車料金、前回の駐車料金精算時刻と、所定期間内に於ける当該駐車料金の累積支払額等の何れか一つ若しくは複数種類の情報とが記憶されている事が望ましい。
本発明に於いて使用される可能性の高い当該サービスプログラムとしては、例えば、当該通常の駐車料金総額に対する一定額の減額サービス処理プログラム、当該通常の駐車料金総額に対する累進性定額の減額サービス処理プログラム、当該通常の駐車料金に対するポイントの付与サービス処理プログラム、２４時間最大料金制出し入れ自在サービス処理プログラム、月間内最大料金制出し入れ自在サービス処理プログラム等が可能であり、当該サービスプログラム記憶手段１２（第５の記憶手段Ｍ５）には、上記した各サービスプログラムから選択された一つ或いはその中から選択された複数種のサービスプログラムが記憶されている。
【００２２】
本発明に於いては、当該サービスプログラム記憶手段１２に記憶されている当該サービスプログラムは、２４時間最大料金制出し入れ自在サービス処理プログラムである事が好ましい。
更に、本発明に於いては、当該サービスプログラム記憶手段１２に記憶されている当該サービスプログラムは、月間内最大料金制出し入れ自在サービス処理プログラムであっても良く、更に好ましくは、２４時間最大料金制出し入れ自在サービス処理プログラムと月間内最大料金制出し入れ自在サービス処理プログラムとが併用されたサービス処理プログラムである事が望ましい。
本発明に於ける当該２４時間最大料金制出し入れ自在サービス処理は、車両の入庫後２４時間以内に、繰り返し駐車した際の駐車料金の総額が予め定められた一定の上限金額に到達した場合には、当該２４時間内の残りの時間に於ける新たな駐車に対しては、駐車料金は課さず無料とするシステムであり、又、月間内最大料金制出し入れ自在サービス処理は、当該ユーザーが当該特別駐車券１４を有料或いは無料で入手した日から例えば一カ月以内に、繰り返し駐車した際の駐車料金の総額が予め定められた一定の上限金額に到達した場合には、当該一カ月内の残りの日時に於ける新たな駐車に対しては、駐車料金は課さず無料とするシステムである。
【００２３】
又、上記した通り、本発明に於ける当該中央演算制御手段１に於ける第４の記憶手段である出庫時刻認定手段Ｍ４は、当該車両駐車スペース識別番号入力手段８に、当該ユーザーにより車両駐車スペース識別番号ＩＤが入力された時点若しくは、当該車両駐車スペース識別番号ＩＤが入力された時点から予め定められた所定の時間が経過した時点を、当該車両が当該所定の車両駐車スペースから出庫した時刻と判断する様に構成されているものであってもよい。
又、本発明に於いては、当該特別駐車券１４内に記録されている、当該所定の車両駐車スペース２内に当該車両が入庫した時刻情報と、当該前回の精算時刻情報とから、当該特別駐車券１４の有効性を判断する特別駐車券有効性判断手段である第４の演算手段１７が当該中央演算制御手段１内に設けられている事も望ましい具体例である。
本発明に於いては、係る特別駐車券有効性判断手段１７を使用して、当該特別駐車券挿入手段１５に挿入された当該特別駐車券１４が有効であるか否かを判断し、無効な特別駐車券１４と判断した場合には、当該特別駐車券１４をユーザーに返却する様に構成しておくことが望ましい。
【００２４】
本発明に於いて、当該特別駐車券１４の有効期限は特に限定されるものではないが、例えば、当該特別駐車券１４の発券日から１年間と設定することが出来る。
より具体的には、当該特別駐車券１４の有効期限は、例えば、当該特別駐車券１４がユーザーに発行された年月日から、１年後の同月の末日とすることも可能である
当該特別駐車券１４は、有効である限り、当該ユーザーが所定の駐車料金を支払って出庫する際に当該特別駐車券挿入手段１５から当該ユーザーに返却される。
【００２５】
本発明に於いて、当該特別駐車券有効性判断手段１７が当該特別駐車券１４を無効と判断する場合の基準としては、例えば、（１）当該特別駐車券１４の有効期限が過ぎている場合とか、（２）今回挿入された当該特別駐車券１４を用いた特定の車両駐車スペース２内への今回の入庫時刻が、当該特別駐車券１４に既に記録されている前回駐車時の精算時刻よりも以前の時刻である場合とか、（３）他の車両駐車スペース２に於いて、同一の特別駐車券１４が使用されている場合、（４）若しくは、同一の車両駐車スペース２内で異なる特別駐車券１４が使用されている場合等が考えられる。
上記した当該特別駐車券１４の有効性の判断の内、（２）乃至（４）は何れも当該特別駐車券１４の不正利用或いは悪用に相当するものである。
係る判定基準を採用することによって、当該特別駐車券１４の悪用を効果的に防止することが可能となる。
【００２６】
但し、本発明に於いて、上記判定基準（２）に於いて、当該車両の入庫時刻が前回精算時の時刻より以前の時刻であっても、同一の車両駐車スペース２内である場合は例外として除外する。
これは、例えば、一旦指定された駐車料金を精算した直後に何らかの原因により出庫することができなかった場合等が考えられ、係る状況は精算継続中の状態と判断することで対処することになる。
【００２７】
上記した様に、本発明に於ける当該それぞれの車両駐車スペースに於ける当該車両の出庫時刻は、当該ユーザーが当該車両駐車スペース識別番号入力手段を操作した時点、当該ユーザーが当該車両駐車スペース識別番号入力手段を操作した時点から予め定められた時間が経過した後の時点或いは、当該車両駐車スペース識別番号入力手段が操作されて、それに応答して当該中央演算制御手段が、当該車両入出庫制御手段を入出庫不許可状態に設定した時点の何れかが選択される事が望ましい。
【００２８】
本発明に於ける第２の態様としては、複数個の車両駐車スペース２と当該個々の車両駐車スペース２を個別に制御可能な中央演算制御手段１とから構成された駐車場管理システム１００であって、当該中央演算制御手段１には、時刻情報発生手段３と、少なくとも当該車両の当該車両駐車スペース２への入庫時刻と当該車両駐車スペース２からの出庫時刻とから当該車両の駐車料金を演算する第１の演算手段４と、当該演算された所定の駐車料金を表示する表示手段５と、当該所定の駐車料金を受け入れる駐車料金納入手段６と、当該表示手段５に表示された当該駐車料金金額と当該駐車料金納入手段６に入金された金額とが一致するか否かを判断する第２の演算手段７と、当該車両のユーザーが当該車両を当該車両駐車スペース２から出庫する際に当該車両駐車スペース２の識別番号ＩＤを入力する車両駐車スペース識別番号入力手段８とが設けられると共に、当該それぞれの車両駐車スペース２には、当該車両の入庫時点を検出する、当該中央演算制御手段１と接続された車両入庫センサー手段９、及び当該中央演算制御手段１からの制御信号に応答して、それぞれ、車両の入出庫を許可する入出庫許可状態と当該車両の入出庫を不許可する入出庫不許可状態の何れかに選択的に設定できる車両入出庫制御手段１０が設けられていると同時に、当該中央演算制御手段１と接続され、当該個々の車両駐車スペースに対応し、当該各車両駐車スペース２の識別番号ＩＤ及び少なくとも当該各車両駐車スペース２への当該車両の入庫時刻を記憶する駐車情報記憶手段１１とが設けられている駐車場管理システム１００に於いて、当該中央演算制御手段１に設けたサービスプログラム記憶手段１２に、少なくとも一種のサービスプログラムを内蔵させると共に、当該中央演算制御手段１に接続された、当該車両の使用者に固有の特別駐車券１４を挿入する為の特別駐車券挿入手段１５を設け、当該特別駐車券挿入手段１５に当該ユーザー固有の特別駐車券１４が挿入された場合に、当該特別駐車券１４により特定された当該サービスプログラムに基づいて、当該駐車料金演算手段４により演算された当該駐車料金を修正する演算処理を当該駐車料金修正手段１３で実行し、当該修正された駐車料金を当該表示手段５に表示する様に構成されている事を特徴とする駐車場管理方法であり、更なる具体的態様としては、上記した第２の態様に於いて、当該ユーザー固有の特別駐車券１４には、少なくとも、当該サービスプログラムの実行に必要な当該特別駐車券識別番号ＩＤと、前回の駐車料金精算時刻と、所定期間内に於ける当該駐車料金の累積支払額とが記憶されている事を特徴とする駐車場管理方法である。
【００２９】
一方、本発明に於いて使用される当該特別駐車券１４は、従来一般的に使用されている磁気カード形式の駐車券で単に駐車情報、例えば、入庫年月日、カードのシリアル番号、車両登録番号、駐車料金、或いは出庫年月日等が記録されるのみで、一回の駐車後に回収される駐車券とは異なり、当該駐車関連情報を自由に書き込み或いは読み出しが可能な記憶手段を内蔵したカード状情報記憶媒体を主体として構成された駐車券を使用するものであり、本発明に係る当該駐車券を特別駐車券と称し、当該駐車場を使用するユーザーに対し、所定の期間継続的に貸与されるものであって、ユーザーは、使用する車両の種類如何に係わらず、又、駐車する車両駐車スペース２にも限定されることなく、あたかも定期券の様な間隔で、所定の期間中は、自由にかつ経済的コスト感覚で長期間所定の駐車場を利用する事が可能である様に構成されている。
この事は、逆に言うならば、駐車場の経営者の立場から見るならば、当該駐車場の管理が容易となる他、当該駐車場のユーザーが増加するほか、リピーターの数も増加するので、効率的経営が可能となる。
【００３０】
一方、当該駐車場を利用しようとするユーザーが、所定の特別駐車券１４を発券する当該特別駐車券発券手段１６を操作して入手し、当該ユーザーが必要とする間、当該ユーザーが会員制カード或いは定期券の様な形式で使用できるものであって、適宜の大きさの薄厚のカード状をした記録媒体であり、当該カード状情報記憶媒体１４の所定の部位に、電気的、磁気的、或いは光学的に当該駐車場内での当該車両の駐車に関する必要な駐車関連情報を記憶し、或いは消去可能であり、且つそれらを読み出しが出来る領域を含んでいるものである。
【００３１】
当該特別駐車券１４には、例えば、上記した様に、好ましくは、ＩＣチップを内蔵させたものであって当該特別駐車券１４の当該情報記憶領域に、当該車両の入庫日時、出庫日時、或いは支払うべき駐車料金、或いは既に支払った累積の駐車料金等を、書き込みかつ記憶させる事が可能であり、又当該特別駐車券１４の当該情報記憶領域から、必要な都度、当該車両の当該駐車に関する駐車関連情報を読み出し、ＣＰＵ等で構成されている中央演算制御手段１に通知する機能を有するものである。
本発明に於いて使用される当該特別駐車券挿入手段１５の当該各情報の読み取り手段の構成は、特に限定されるものではないが、公知のカードリーダライターを使用する事が可能である。
【００３２】
より具体的には、当該特別駐車券１４に格納される基本的な駐車関連情報としては、例えば、少なくとも、当該特別駐車券１４のシリアル番号或いはＩＤ番号、発券日（即ち契約開始日）、有効期限（契約終了日）、利用する当該駐車場内の特定の車両駐車スペースの識別番号ＩＤ，入出庫管理情報としての入出庫日並びに入出庫時刻、及び清算状況としての、前回清算年月日並びに精算金額、更には、特定の日内或いは特定の月内の累積駐車料金等がある。
【００３３】
次に、本発明に於ける当該駐車場管理システム１００若しくは当該駐車場管理方法に於いて、当該サービスプログラムとして、２４時間最大料金制出し入れ自在サービス処理プログラム、月間内最大料金制出し入れ自在サービス処理プログラム及びその両者を組み合わせたプログラムを採用する場合を具体例として採用し、その操作方法を図面を参照しながら以下に詳細に説明する。
先ず、本発明に於ける当該駐車場管理システム１００に於ける当該車両が空き状態にある特定の車両駐車スペース２内に駐車し、所定の時間駐車後、当該車両駐車スペース２から出庫する場合の操作手順の概略を説明するならば、先ず、ユーザーは、当該駐車場内で空き状態にある車両駐車スペース２を見つけ、当該車両駐車スペース２内に車両を入庫させる。
この際、当該ユーザーは、当該車両駐車スペース２の識別番号ＩＤ（例えばＡ−０５）を覚えておく。
【００３４】
一方、当該車両が入庫した当該Ａ−０５という識別番号ＩＤを持った車両駐車スペース２に於いては、当該センサー手段９が当該車両の当該車両駐車スペース２内に入庫したことを検出し、その検出結果が当該中央演算制御手段１に送信され、当該入庫時刻が当該時刻情報発生手段３の時刻情報から当該車両入庫時刻が判定され、当該入庫時刻情報が当該車両入庫時刻記憶手段である第２の記憶手段Ｍ２に記憶されると同時に当該車両駐車スペース２の識別番号ＩＤが当該第３の記憶手段Ｍ３内に格納され、更に当該センサー手段９の車両入庫検出時刻から所定の時間経過後に、当該中央演算制御手段１から当該車両入出庫制御手段１０に、当該車両駐車スペース２を入出庫不許可状態に設定することを指示する指示信号が送信され、当該車両入出庫制御手段１０の当該プレート板１２０が起立されて、当該車両が出庫不可能となるロック状態に設定される。
【００３５】
尚、当該車両の入庫時刻情報は、当該Ａ−０５という識別番号ＩＤを持った車両駐車スペース２に対応して設けられている第６の記憶手段Ｍ６に格納される場合もあることは云うまでもない。
係る入庫処理或いは後述する出庫処理に際して、当該ユーザーは、上記した様な、駐車料金に関するサービスを受けたい場合には、予め、当該特別駐車券発券手段１６を操作して、所定の特別駐車券１４を入手しておく。
次に、当該車両を当該車両駐車スペース２から出庫させる場合には、先ず、当該ユーザーは、当該車両駐車スペース識別番号入力手段８を操作して、今回駐車した当該即ちＡ−０５という識別番号を入力する。
【００３６】
当該車両駐車スペース２の識別番号ＩＤが入力されると、当該識別番号ＩＤの入力時点或いは当該識別番号ＩＤの入力時点から所定の時間経過した時点の時刻を当該車両の当該車両駐車スペース２からの出庫時刻と判定し、その判定された出庫時刻が当該車両の出庫時刻情報記憶手段である第４の記憶手段Ｍ４内に格納される。
その後、当該中央演算制御手段１が、当該第１の記憶手段Ｍ１内に格納されている通常の駐車料金演算プログラムを読みだし、当該第２の記憶手段Ｍ２と当該第４の記憶手段Ｍ４にそれぞれ記憶されている当該車両の入庫時刻情報と出庫時刻情報から当該第１の演算手段４に於いて、当該車両の当該Ａ−０５という識別番号ＩＤを持った車両駐車スペース２に於ける駐車時間を演算し、当該演算された駐車時間に対応する今回の通常の駐車料金を算出し、その結果を当該表示手段５に表示する。
【００３７】
その後、当該ユーザーは、上記したサービスを受けるために、当該特別駐車券１４を当該特別駐車券挿入手段１５に挿入する。
当該特別駐車券１４の挿入に応答して、当該中央演算制御手段１が、当該２４時間出し入れ自在とするサービスプログラムを当該プログラム格納手段である第５の記憶手段Ｍ５から読み出し、当該既に表示手段５に表示されている通常の駐車料金を修正する演算処理を第３の演算手段である駐車料金修正手段１３で実行し、例えば、入庫してから２４時間以内で、前回の精算時点迄に、予め定められた２４時間駐車料金の上限に到達している場合には、今回の駐車料金は無料にする修正結果を算出し、その結果を当該表示手段５に表示する。
勿論、今回の駐車料金が当該サービスプログラムの対象にならない場合には、最終的に当該表示手段５に表示される今回の駐車料金は、当初のものと変わらず、当該ユーザーは、当該通常の駐車料金を支払う事になる言うまでもない。
【００３８】
その結果に応じて、当該ユーザーは、当該表示手段５に最終的に表示された今回の駐車料金の金額を当該駐車料金納入手段６に入金し、当該入金された金額と、当該最終的に決定された今回の駐車料金とが一致するか否かを第２の演算手段である駐車料金納入有無判別手段７で判断し、当該駐車料金の入金が確認された場合には、当該中央演算制御手段１から当該車両入出庫制御手段１０に対して車両ロック状態を解除して、当該車両入出庫制御手段１０を車両入出庫許可状態に設定する指令信号が送信され、当該車両入出庫制御手段１０の当該ロック板１２０が地平面と面一となり、当該車両が出庫可能になる。
尚、当該特別駐車券１４が有効期間内にある限り、当該出庫時に、当該特別駐車券挿入手段１５から、当該特別駐車券１４が当該ユーザーに返却される。
【００３９】
上記した本発明に係る具体例に於いて、上記した様に、当該所定のサービスを実行するに当たり、必要な管理情報を所定の記憶手段にそれぞれ格納しておき、当該各記憶手段からそれぞれの操作ステップに於いて、必要な情報を適宜読み出して所定のプログラムに沿って所定の演算処理を実行するものである。
その為、特に、上記した本発明の特殊な駐車料金サービスプログラムを実行するに必要な情報を記憶管理する為のデータ記憶方法の一例を以下に説明する。
【００４０】
即ち、本発明の上記サービスプログラムを実行するに当たっては、図２（Ａ）及び図２（Ｂ）に示すような特別駐車券データファイル、及び図３（Ａ）に示すような在車ファイル及び図３（Ｂ）に示すような特別駐車券出庫ファイル等が使用されるものである。
即ち、図２（Ａ）示すような特別駐車券データファイルは、当該特別駐車券１４内に設けられるデータファイルであって、記憶すべき具体的データ構成の項目としては例えば、
（１）特別駐車券ＩＤ
（２）契約期間：契約開始年月日／契約終了年月日
（３）入出庫管理情報：車室番号（識別番号ＩＤ）／精算時刻
（精算した車室番号及び精算時刻は更新される）
（４）精算状況：前回の精算年月日／月内累積駐車料金（精算月の累積駐車料金）
の様に選択され、各項目のデータ構成は、図２（Ａ）に示されている様な構成をとる事が望ましい。
【００４１】
一方、当該特別駐車券データファイルは、必要によって、図２（Ｂ）に示すようなデータ構成を採用するものである。
即ち、
（１）特別駐車券ＩＤ
（２）契約期間：契約開始年月日／契約終了年月日
（３）入出庫管理情報：車室番号（識別番号ＩＤ）／精算時刻
（精算した車室番号及び精算時刻は更新される）
（４）精算状況：累積データ月／月内累積駐車料金（精算月の累積駐車料金）
の様に構成されるものであっても良く、又、各項目のデータ構成は、図２（Ａ）に示されている様な構成をとる事が望ましい。
【００４２】
一方、当該中央演算制御手段１内の当該駐車情報記憶手段１１若しくは当該第６の記憶手段Ｍ６には、当該各車両駐車スペース２毎に上記した図３（Ａ）に示すような在車ファイル及び図３（Ｂ）に示すような特別駐車券出庫ファイルが個別に設けられるものである。
即ち、当該図３（Ａ）に示す在車ファイルは、各車両駐車スペース２に精算時に作成されるものであって、此処に記憶されるべき具体的データ構成の項目としては例えば、
（１）入庫時刻
（２）支払い済み金額（今回の駐車で支払いを済ませた金額）
（３）特別駐車券ＩＤ
（４）精算状況
（ａ）２４時間打切り最終時刻
（ｂ）２４時間累積金額（２４時間累積駐車料金の合計）
（ｃ）前回精算年月日
（ｄ）月内累積駐車料金（精算月内の累積駐車料金）
であり、又、各項目のデータ構成は、図３（Ａ）に示されている様な構成をとる事が望ましい。
【００４３】
又、図３（Ｂ）に示すような特別駐車券出庫ファイルは、当該駐車車両が出庫する際に作成されるものであって、これに記憶されるべき具体的データ構成の項目としては，例えば、
（１）特別駐車券ＩＤ
（２）精算状況
（ａ）２４時間打切り最終時刻
（ｂ）２４時間累積金額（２４時間累積駐車料金の合計）
であり、又、各項目のデータ構成は、図３（Ａ）に示されている様な構成をとる事が望ましい。
【００４４】
次に、本発明に於ける当該駐車場管理システムに於いて上記した駐車料金の支払い操作に関して、図１、図４及び図１６を参照してより具体的に説明する。
なお、本発明に於いては、基本的には、月極め方式の駐車場管理システムであり、ユーザーは、該当月の初日から同一月の末日までの各駐車に対する個別の駐車料金を、駐車毎に個別に支払ながら、同一月の末日で締める様に構成されており、一方、月極め料金の上限駐車料金を予め設定しておき、同一月内の累積駐車料金の総額が、当該月極めの上限駐車料金を超えた場合には、同一月内におけるそれ以降の駐車に対しては、駐車料金を無料とする様に管理するものである。
【００４５】
又、本発明に於ける上記駐車料金の月極め駐車料金管理システムに於いては、同一月内の個々の日毎の駐車料金の管理を個別に実行する必要があり、従って、本発明に於いては、日極め駐車料金管理と月極め駐車料金管理とが併行して実行される処に特徴がある。
本発明に於ける当該日極め駐車料金管理に於いては、暦通りの日付管理を行うことも可能であるが、特に当該日別の駐車管理を実行するに際し、当該駐車管理の基本単位日は、当該車両が駐車場に入庫した時刻から当該入庫時刻に２４時間を加算した打ち切り時刻までとすることが望ましい。
本発明に於ける当該日極め駐車料金管理に於いても、当該月極め駐車料金管理に於けると同様に、上記所定の月内に於ける、個別の日に於いては、当該個別の日内での、一回若しくは複数回の駐車に関して、当該日内で、既に支払われた駐車料金の累積金額が、所定の日内で予め定めた日極めの上限駐車料金を超える場合、前記管理システムは、当該所定の日内で、前記予め定めた当該日極めの上限駐車料金が支払われた時点以降の当該車両の入出庫に対して、課金をしないように構成するものである。
【００４６】
従って、本発明においては、その両駐車場管理システムを有機的に結合して、自動的に駐車料金の支払をスムースに実行するために、特に日跨及び月跨が発生した場合の処理方法に特徴を持たせたものである。
例えば、本発明においては、当該入庫時刻から当該打ち切り時刻までの期間からなる２４時間の打ち切り期間に於ける当該入庫日を、月極めの駐車場管理システムにおける当該月の該当日とするものである。
【００４７】
又、本発明において、当該日極め処理を実行するに際し、当該打ち切り期間の当該入庫日と当該出庫日とが相違する場合、つまり日跨ぎが発生した場合には、当該打ち切り期間中の当該駐車料金は、当該入庫日の駐車料金と決定する様に処理することが望ましい。
更に、当該打ち切り期間の当該入庫日と当該出庫日とが相違する場合には、当該打ち切り時刻を、当該打ち切り期間に接続する次の駐車に関する入庫時刻と設定し、当該入庫時刻から２４時間経過した時間を、次の駐車に関する打ち切り時間と設定するものである。
【００４８】
別の具体的な態様例としては、例えば、当該打ち切り期間の当該入庫日と当該出庫日とが相違する場合に於いて、当該入庫時刻から当該打ち切り時刻までの駐車料金と当該打ち切り時刻から最初の出庫時刻迄の駐車料金との合計が、当該予め設定されている当該日極め上限駐車料金よりも多い場合には、当該合計が当該日極め上限駐車料金となる様に当該打ち切り時刻から最初の出庫時刻迄の駐車料金が調整される様に処理する事も望ましい。
【００４９】
此処で、図４の例を使用して、本発明に於ける当該月極め駐車料金管理システムの管理処理方法に関して具体的に説明する。
尚、図４の例では、当該月極め駐車料金管理システムに於いて、１時間当たりの駐車料金が１００円、駐車料金の計算単位を入庫時刻と当該入庫時刻に２４時間を加算した打ち切り時刻との間の時間とし、２４時間の駐車料金の日極め駐車料金の上限金額を８００円と設定し、当該日極め駐車料金の上限金額もしくはそれ以上の駐車料金が支払われた場合には、その後の当該同一日内での更なる駐車料金は打ち切りになるように設定したものである。
又、同一月内に於ける当該月極め駐車料金の上限額を９０００円で打ち切りとなる様に設定したものである。
【００５０】
即ち、本発明に於ける月極め駐車料金管理システムの一具体例としては、上記した図１に示す様な構成を有する入出庫管理装置２００を使用するものであって、当該入出庫管理装置２００に、予め月毎の最大駐車料金、本具体例では９０００円と設定する記憶手段３３を設けると共に、当該サービスプログラムを当該第５の記憶手段Ｍ５に格納させておき、当該入出庫管理装置２００は、当該同一ユーザーによる同一月内で支払われた個々の駐車料金を積算し、当該積算された当該同一ユーザーによる同一月内での駐車料金の総額が、当該月毎の最大駐車料金を超過した場合には、当該同一ユーザーによる当該月毎の最大駐車料金を超過した料金が支払われた時点以降から当該同一月の末日までの当該同一車両の入出庫に対して、課金をしないように構成したことを特徴とする駐車場の料金管理システム或いは当該駐車場の料金管理装置１００である。
【００５１】
図１において、１は、本発明の料金管理システムの要部を構成する入出庫管理装置２００を制御するＣＰＵ含む制御装置である。この制御装置１には、車両の入庫を管理する入庫管理プログラムや車両の出庫を管理する出庫管理プログラム等が含まれる適宜のデータファイルが接続されており、適宜の演算手段（ＣＰＵ）に基づいて、当該車両の入出庫を管理するようになっている。
尚、上記した通り、本具体例では、当該それぞれの車両駐車スペース２に入出庫する車両のユーザーが使用する当該特別駐車券１４を構成しているカード状情報記憶媒体のシリアルナンバー、及び／又はＩＤ番号、入出庫日時、駐車毎のそれぞれの駐車料金、複数回の駐車の合計駐車料金等の各車両の駐車状況を管理するための駐車関連情報を格納する駐車関連情報記憶手段３６が当該データ保持装置３０に設けられており、それぞれ当該制御装置（ＣＰＵ）１と接続されている。
尚、当該データ保持装置３０は、半導体メモリやハードディスクで構成されている。
【００５２】
一方、上記具体例に於いては、当該駐車料金記憶装置３１及び又は当該月極め上限駐車料金記憶装置３２、及び日内上限駐車料金記憶装置３３等も、当該データ保持装置３０に設けることも可能である。
つまり、本具体例に於いては、当該月極め上限駐車料金記憶装置３２に、予め月毎の最大駐車料金を設定しておき、当該システムに於ける当該駐車料金演算手段４は、当該ユーザーが、特定の車両駐車スペース２の何れかに入庫して駐車する毎に、通常の駐車料金プログラムに従って、当該駐車に於ける所定の駐車時間に対応した通常の駐車料金を算出し、その結果を当該表示手段５に表示すると共に、その演算結果を、例えば、当該データ保持装置３０内に設けられた当該駐車料金記憶装置３１に一旦記憶させておく。
【００５３】
次に、当該同一ユーザーが、上記した特別駐車券１４を当該特別駐車券挿入手段１５に挿入する事により、特定のサービスを受けることを希望した場合には、当該システム１００は、当該第５の記憶手段Ｍ５から、上記した所定のサービスプログラムを読み出し、当該ユーザーによる今回の駐車が、当該特別駐車券１４の有効期間内に於ける最初の駐車であるか複数回目の駐車であるかを、当該特別駐車券１４の上記した当該特別駐車券データファイル及び／或いは、当該在車ファイルの前回精算年月日データから判断し、当該今回の当該ユーザーの駐車が複数回めであると判断された場合には、当該同一ユーザーによる、当該同一月内の当該同一駐車内での各車両駐車スペース２を使用したことによる個別の駐車料金に付いて、同一月内でこれまでに支払われた全ての駐車料金を積算する処理を行う駐車料金積算手段１８を介して演算し、当該積算された当該同一月内での駐車料金の総額を月毎累積駐車料金記憶手段３５に格納させた後に、当該同一月内での駐車料金の総額が当該月極め上限駐車料金である最大駐車料金を超過したか否かを月極上限値超過有無判断手段７０で判断し、同一月内に於ける当該同一車両による当該駐車料金の総額が、当該月極め最大駐車料金を超過した場合には、当該同一車両による当該月毎の最大駐車料金が支払われた時点以降から当該同一月の末日までの当該同一車両の入出庫に対して、課金をしないように構成された駐車場の料金管理システム１００が示されている。
【００５４】
即ち、本発明に於ける上記具体例に於ける当該駐車場の料金管理システム１００では、基本的には、上記した具体例で示されている日極めによる固定された単位時間毎の特定の駐車料金の課金システムに基づき、同一日内に於ける同一車両による駐車料金の総額が、予め設定されている日極め上限駐車料金を超えた場合に、当該同一車両が当該駐車料金の総額が当該日極め上限駐車料金を超えた駐車料金を支払った時点以降の当該車両の同一日内での入出庫に対しては、駐車料金を無料にするという基本的技術思想を活用して、月極めによる上限駐車場の料金管理システムに発展させたものである。
【００５５】
つまり、換言するならば、本発明に於ける当該駐車場の料金管理システム１００にあっては、同一月内に於いて同一の車両が複数回入出庫した場合に、当該車両の個々の入出庫に対する個別の駐車料金は、個別に演算して、当該同一車両の所有者若しくは運転者に請求して当該駐車料金を支払わせると同時に、当該同一車両の当該個々の入出庫に対する入庫月、入庫日、入庫時間、及び出庫月、出庫日、出庫時間並びに個別の入出庫に対するそれぞれの駐車料金を車両駐車スペース識別番号と共に所定の記憶手段、つまりデータ保持手段３０或いは適宜個別に用意された記憶手段内の各データファイル等に記憶させておき、当該同一車両が、同一月内で入出庫する毎に、当該最新の入出庫に対する最新の駐車料金を演算により算出すると共に、同一月内で過去に当該同一車両に課金された個々の駐車料金を積算して支払い済み積算駐車料金を当該駐車料金積算装置１８で演算し、今回新たに算出した当該最新の駐車料金を当該支払い済み積算駐車料金とを合算して当該同一車両が同一月内で支払うべき駐車料金の総額を求める。尚、個々の出庫時には、その駐車に対する駐車料金はその都度、精算されるものとする。
【００５６】
そして、当該同一車両が同一月内で支払うべき駐車料金の総額が、上記した月極め上限駐車料を越えているか否かを判断し、当該駐車料金の総額が、当該月極め上限駐車料を超えている場合には、当該同一車両が同一月内で、当該月極め上限駐車料を超える駐車料金を支払った時点（この場合には月極め上限駐車料金を支払うことになる）以降から同一月内の最終日の最終時刻までの間の当該同一車両による１乃至複数回の入出庫に対しては、当該駐車料金を無料とするものである。
【００５７】
本発明に於ける上記具体例では、駐車場に入出庫する車両の使用者に継続的に貸与され、当該車両の当該駐車場への駐車に関連する駐車関連情報の書き込み及び読み出しが可能なカード状情報記憶媒体であって、車両の入出庫日時を検出して入出庫日時を記録すると共に、出庫時毎に支払われた駐車料金を積算記録し、保持する特別駐車券１４を使用し、且つ、当該特別駐車券１４に所定の駐車関連情報を書込み或は当該カード状情報記憶媒体から当該所定の駐車関連情報を読み出す特別駐車券情報読取り／書込み手段１９を設け、同時に当該駐車場の出入口部に設けられ、当該車両の使用者が、当該車両の駐車に際して、当該特別駐車券１４を投入した場合に、当該特別駐車券情報読取り／書込み手段１９により当該特別駐車券１４に記録された所定の駐車関連情報を読み出し、且つ当該特別駐車券１４に、所定の駐車関連情報を書き込むと同時に当該車両入出庫制御手段１０を制御する特別駐車券情報読取り／書込み演算手段１９及び当該車両入出庫制御演算手段１０‘を介して当該車両入出庫制御手段１０を車両の入出庫許可状態に設定し、出庫を許可する。
【００５８】
つまり、本発明に於ける当該駐車場管理システムに於ける操作手順としては、例えば、所定の月内に於ける、一回若しくは複数回の駐車に関して、個々の駐車に対する個別の駐車料金を演算して記憶するステップと、所定の月内に於ける、既に支払われた駐車料金の累積金額を演算して記憶するステップと、所定の月内における月極めの上限駐車料金を設定するステップと、既に支払われた駐車料金の累積金額と当該月極めの上限駐車料金とを比較するステップと、所定の月内に於いて、既に支払われた駐車料金の累積金額が当該月極めの上限駐車料金を超えて支払われた場合、当該月内で、前記予め定めた当該月極めの上限駐車料金が支払われた時点以降の当該車両の入出庫に対して、課金をしないように構成する判別ステップと、からなる構成されるものである。
【００５９】
上記した本発明に於ける当該駐車場管理システム１００の操作手順の更に詳細な具体例を、図４及び図１又は図１６を参照しながら以下に説明する。
即ち、当該構成例としては、駐車場に入庫或は当該駐車場から出庫する車両のユーザーが所有する、シリアルナンバー及び／又はＩＤ番号を付加した当該特別駐車券１４であって、少なくとも、入出庫管理情報と前回清算日及び累積駐車料金とを格納しうる記憶手段を有する特別駐車券１４、当該特別駐車券１４を特別駐車券として発券する当該特別駐車券発券手段１６、適宜の制御手段（ＣＰＵ）１に接続されており、当該特別駐車券１４と係合して当該特別駐車券１４の保有する所定の駐車関連情報を読み出すと共に、当該特別駐車券１４に対して必要な駐車関連情報を書き込む事が出来る特別駐車券情報読取り／書込み手段１９、当該シリアルナンバー及び／又はＩＤ番号と対応して、少なくとも当該車両の当該駐車場への入庫年月日、入庫時刻、出庫年月日、出庫時刻並びに当該車両が所定の月内で既に支払済みである駐車料金を累積して記憶しておく駐車情報記憶手段としてのデータ保持手段３０、単位時間毎の駐車時間に対する料金で構成された料金体系を記憶する料金システム記憶手段Ｍ１（２５）、月極めの上限駐車料金を設定している月極めの上限駐車料金設定手段３３、年情報、月情報、日情報及び時間を演算する時間演算手段３、当該データ保持手段３０に於ける記憶された駐車関連情報から当該車両の最新の入庫月日に於ける最新の入庫時刻から最新の出庫月日に於ける最新の出庫時刻までの期間を演算して、当該期間における当該車両の今回の最新駐車料金を演算する駐車料金演算手段４、当該車両が当該同一月内で、過去に支払済みの全ての駐車料金を積算して、精算月累積駐車料金を演算し、当該最新の出庫月日において当該演算された最新の駐車料金と当該精算月累積駐車料金とを加算して当月分累積駐車料金を演算する当月分累積駐車料金演算手段１８、当該同一月内に於ける、当該当月分累積駐車料金が当該月極め上限駐車料金より低いか否かを判断する第１判断手段７０、当該同一月内に於ける当該当月分累積駐車料金が当該月極めの上限駐車料金より低い場合には、当該最新の駐車料金を新たな駐車料金として演算する第１１演算手段４５と、当該同一月内に於ける当該当月分累積駐車料金が当該月極め上限駐車料金より高い場合には、当該月極め上限駐車料金と当該精算月累積駐車料金との差額料金を当該最新の駐車料金として演算する第１２演算手段４６、当該第１１もしくは第１２演算手段４５，４６が演算した駐車料金を今回の駐車料金として請求する駐車料金請求手段４７と、当該車両が当該請求された駐車料金を支払った場合には、当該車両入出庫制御手段１０を入出庫許可状態に設定して、車両の出庫を可能にする車両入出庫制御演算手段１０’を含み、更に、当該第１２演算手段４６により決定された当該新たな駐車料金が精算された後は、当該同一ユーザーが同じ月内にその後再度入庫した場合には、当該再入庫時刻から同月末日の最終時刻までの間の当該車両に対する入出庫に対する駐車料金は無料と判断する駐車料金無料化判定手段３９、当該駐車料金無料化判定手段３９の判断に基づいて、当該月極めの上限駐車料金が支払われた時点以降の車両の出庫に対しては駐車料金の請求無しに当該車両入出庫制御手段１０を開放する様に構成された車両入出庫制御演算手段１０’とから構成されている無人化入出庫自在の駐車場管理システムである。
【００６０】
尚、上記駐車場管理システム１００に於いては、更に所定の駐車に対する駐車料金を当該ユーザーに報知するための駐車料金表示手段５とユーザーが当該駐車料金を支払ったか否かを判断する為の、駐車料金入金有無識別手段７とが設けられていることも好ましい具体例である。
上記具体例に於いて、当該所定の車両と対応している当該特別駐車券１４のシリアルナンバー及び／又はＩＤ番号と対比して構成されている当該データ保持手段３０に記憶された各駐車関連情報は、当該ユーザーが請求された駐車料金の全てを支払った後で、月替わり時点或は当該予め定められた所定の駐車時間経過後に消去される様に構成されている事が望ましい。
又、本発明に於ける当該具体例の態様では、月跨ぎの駐車があった場合にも対応する事が可能である。
【００６１】
以下に、本発明に於ける当該第３の態様で月跨ぎの駐車があった場合の具体的な構成例を説明する。
即ち、図１６は、図１に示されている本発明に係る当該駐車場管理システム１００のブロック図に、更に、当該中央演算処理手段１に必要な管理・演算処理手段を追加した構成例を示すブロックダイアグラムであって、図１６に示す様に、所定の月に於ける所定の日に当該車両が入庫してから、当該車両が出庫した月日との間で月跨ぎが発生した場合には、当該車両が駐車した複数駐車月の内、当該駐車場に入庫した最先月の月日の入庫時刻と当該車両が入庫した最先月に於ける最終日の最終時刻までの当該車両の駐車時間とから、最先の駐車月に於ける最終の駐車料金を演算する最先月駐車料金演算手段４９、当該最先入庫月日における当該演算された最終の駐車料金と、当該精算月累積駐車料金演算手段４２によって演算された、当該車両が入庫した当該最先月内で、過去に支払済みの全ての駐車料金を加算した精算済み最先月累積駐車料金と、を加算して当該最先入庫月に於ける累積駐車料金を演算する最先入庫月累積駐車料金演算手段５０、当該演算された当該最先入庫月累積駐車料金額が当該月ぎめ上限駐車料金より低いか否かを判断する第２判断手段５１、当該最先入庫月累積駐車料金が当該月ぎめ上限駐車料金より低い場合には、当該最先入庫月累積駐車料金を当該最先入庫月の最終駐車料金（第１の駐車料金）として決定する第１３の演算手段５２（尚、実際にこの段階で支払う必要のある駐車料金は、過去に既に支払い済みの駐車料金は除外されるので、今回の最終駐車料金である）、当該最先入庫月累積駐車料金が当該月ぎめ上限駐車料金より高い場合には、当該月極め上限駐車料金と当該最先入庫月に於ける過去に支払済みの全ての駐車料金を加算した支払い済み最先月累積駐車料金との差額料金を演算し、それを当該最先入庫月の最終駐車料金（第１の駐車料金）として決定する第１４の演算手段５３、及び当該車両が当該駐車場に駐車した複数駐車月の内、当該駐車場から出庫した最終月の月の最先の日の０時００分から当該車両が出庫する時刻までの同一月日に於ける駐車時間から第２の駐車料金を演算する第１５の演算手段５４、当該第２の駐車料金が当該月ぎめ上限駐車料金より低いか否かを判断する第３判断手段５５、当該第２の駐車料金が当該月ぎめ上限駐車料金より低い場合には、当該第２の駐車料金を当該最終駐車月に於ける新たな駐車料金として決定する第１６の演算手段５６、当該第２の駐車料金が当該上限駐車料金より高い場合には、当該上限駐車料金を当該最終駐車月に於ける新たな駐車料金として決定する第１７の演算手段５７、当該最先の駐車月と当該最終の駐車月との間に１つ或は複数の中間駐車月が存在している場合には、当該各中間駐車月に対する駐車料金として、当該打切り金額を当該中間駐車月の駐車料金（第３の駐車料金）として決定する第１８の演算手段５８、当該第１の駐車料金と当該第２の駐車料金と単一若しくは複数の当該第３の駐車料金と、を加算して、それを当該車両の月跨ぎ駐車に対する合計駐車料金として請求する駐車料金請求手段４７と、当該車両が当該合計駐車料金を支払った場合には、当該車両番号に対応するデータ保持手段３０に於ける、当該最終駐車月以外の月の駐車関情報を消去する駐車関情報消去手段５９、及び当該駐車料金の支払い情報に基づいて、当該車両入出庫制御手段１０を入出庫許可状態に設定する車両入出庫制御演算手段１０’とから構成されている上記装置を利用した無人化入出庫自在駐車場管理システムであり、又、上記した制御処理を実行する機能をコンピュータに実現させる様に構成した事を特徴とする駐車場管理システムである。
【００６２】
尚、本具体例に於いて、最先月に於ける当該車両の最後の入庫以前に駐車した実績が無い場合には、当該最先月に於ける最先月累積駐車料金は、０円となる。
又、本具体例に於いては、当該最先月に於ける当該車両の最後の入庫以前に当該車両が既に駐車した実績があり、当該最先月累積駐車料金が既に当該月極め上限駐車料金に到達している場合には、当該車両の当該最先月に於ける今回の最終駐車に対する駐車料金は無料となることは言うまでも無い。
次に、本発明に係る上記の具体例に於いて、月極め上限駐車料金システム及び日極め上限駐車料金システムとを併用する場合の操作手順について、図４乃至図８を参照しながら更に詳細に説明する。
【００６３】
即ち、図４に示す具体例では、同一月内で複数回の入出庫が行われた場合の例を示すものであって、９月１５日に所定の車両が本発明の駐車料金管理システムを使用する駐車場（単位駐車料金を１時間当たり１００円とし、日極め上限駐車料金を８００円、月極め上限駐車料を９０００円に設定しているものとする）に入庫後、同日に複数回入出庫した結果、同日の合計駐車料金として当該車両に対して８００円が請求され、この日の累積駐車料金額は８００円となる。次いで、翌日の９月１６日には、同日の合計駐車料金として当該車両に対して８００円が請求され、この日を含めた今月の累積駐車料金額は１６００円となる。
【００６４】
この様な駐車行為が繰り返され、９月２０日には、１１回目の駐車が行われ、同日の駐車料金として８００円が請求され、この日迄の累積駐車料金額は８８００円となったとする。
そして、翌日の９月２１日には、１２回目の駐車が行われ、同日の駐車料金として６００円が算出されたが、同日の駐車料金として６００円を前記累積駐車料金額８８００円に加算すると日極め上限駐車料金である９０００円を超過することになるので、９月２１日分の駐車料金として当該日極め上限駐車料金と前記累積駐車料金額８８００円との差額である２００円が請求されることになる。
【００６５】
この結果、９月２１日のいずれかの時刻に上記した駐車料金とし手２００円が支払われた時刻以降の時刻から同月末日、つまり９月３０日までの入出庫に対しては駐車料金は無料となる。
次に、月を跨いで駐車が行われた場合の当該駐車料金の処理方法の一例について説明するならば、図４に於いて、９月３０日の１３：００に車両の入庫が行われ、翌日の１０月１日の１６：００に出庫した場合を考える。
この際、本発明に於いては、各日に於ける当該駐車料金の管理に於いて、１日の期間を暦通りではなく、車両が駐車場に入庫した時刻から当該時刻に２４時間を付加した打ち切り時刻との間の期間を１日と定義する事にしている。
従って、或る日の２３：００に入庫がなされた場合でも、当該打ち切り時刻までは、その日の駐車と見なすことにしている。
そのため、９月３０日の１３：００から１０月１日の１３：００迄の間の駐車は、９月３０日分の駐車と見なされ、且つ前記した様に、９月末日の駐車料金は無料化されているので、９月３０日の１３：００から１０月１日の１３：００迄の間の駐車に対する駐車料金は無料となる。
【００６６】
そして、１０月１日の１３：００から同日の１６：００迄の駐車は、１０月１日分の駐車とみなされるので、当該駐車料金は、３時間として３００円となる。
更に、１０月１日に、別途駐車が行われ、８００円の駐車料金が請求されたので、１０月１日中の累積駐車料金額は１１００円となる。
そして、１０月２日に、別途駐車料金として８００円が請求されたとすると、１０月２日迄の累積駐車料金額は１９００円となる。
具体的には、本発明に使用される当該駐車料金管理システム１００では、図１６に示す当該料金精算装置２６に、更に、１車両について、２４時間の駐車料金の上限を予め設定する、日極め上限駐車料金設定装置１３５を設け、更に、当該料金精算手段２６に当該同一車両が同一日内で、支払った駐車料金を積算する駐車料金積算装置１３６を設け、当該同一車両が同一日内で、支払った駐車料金、若しくは複数回入出庫を繰り返した結果、当該駐車料金の積算値が、当該日極め上限駐車料金を超えた場合には、それ以降の同一車両による同一日内での入出庫に対しては、駐車料金を課金せず、無料扱いとするものである。
【００６７】
本具体例に於ける当該日極め上限駐車料金設定装置１３５は、上記したデータ保持装置３０に設ける事も可能である。
そして、本発明に於ける当該日極め駐車料金管理システムに於いては、上記した通り、一日の管理を暦通りに設定するのではなく、所定日にユーザーが車両を入庫させた時刻をスタート時刻とし、当該入庫時刻に２４時間を付加した時刻までを単一日と設定するもので、係る期間を日極めの打ち切り期間と称し、当該入庫時刻に２４時間を付加した時刻を打ち切り時刻と称するものである。
【００６８】
又、当該駐車時間に日跨ぎが存在する場合には、当該打ち切り時刻までの駐車料金は、当日の駐車料金として計上し、当該打ち切り時刻以降についての駐車料金は、翌日の第１回目の駐車に対する駐車料金として計算することにしており、新たに翌日の料金を、当日の駐車料金とは別に計算するように構成している。
本発明に係る日極め駐車料金管理システムでの駐車時間と駐車料金との関連を示す幾つかのパターンを、図９を参照して以下に説明する。
図９の以下のパターンにおける設定条件は、基本駐車料金は１時間当たり１００円とし、入庫時刻より２４時間後を打ち切り時刻と設定し、当該日極め上限駐車料金を１２００円とし、各パターンとも初回入庫時刻を１０月１日の午前４：００であるとして説明されている。
第１のパターンは、初回駐車時間は、１０月１日の午前０４：００〜０８：００までの４時間で、駐車料金は４００円であった。
初回駐車の駐車料金は４００円、当日の累積金額は４００円、打切り終了時刻は、１０月２日の午前０４：００となる。
その後、第２回目の駐車が１０月１日の１２：００〜１６：００まで行われ、駐車時間は４時間で、駐車料金は４００円であった。
従って、第２回駐車の駐車料金は４００円、当日の累積金額は４００円を加算し８００円となる。
【００６９】
そして、累積駐車料金額は打切り上限駐車料金（１２００円）に達していないので、今回の駐車料金としての請求額は４００円となり、打切り終了時刻は、時間内なので変化無し。
その後、第３回目の駐車が１０月１日の２０：００から翌日の１０月２日の午前０４：００まで行われ、駐車時間は８時間で、駐車料金は８００円となる。
然しながら、今回の駐車による駐車料金８００円を当該累積駐車料金額８００円に加算すると１６００円となり、当該打切り上限駐車料金１２００円に達したので、今回の駐車による駐車料金は４００円となる。打切り終了時刻は時間内なので変化無し。
【００７０】
更に、第４回目の駐車が１０月２日の０８：００から１２：００まで行われ、駐車時間は４時間で、駐車料金は４００円となる。尚、今回の駐車は、前回の駐車に対して、打切り時間外なので累積金額をリセットされ、駐車料金の請求金額は４００円、累積金額は４００円を０円に加算し４００円となる。
打切り終了時刻は、１０月３日の０８：００となる。
次いで、第５回目の駐車が１０月２日の０１６：００〜翌１０月３日の０８：００まで行われ、駐車時間は１６時間で、駐車料金は１６００円となる。
然しながら、今回の駐車では、駐車料金１６００円を当該累積駐車料金額４００円に加算すると２０００円となり、当該打切り上限駐車料金１２００円に達するので、今回の駐車による駐車料金はその差額である８００円となる。累積金額は、これまでの累積駐車料金額４００円に今回の駐車料金である８００円を加算し１２００円となる。打切り終了時刻は時間内なので変化無し。
第２のパターンは、初回駐車時間は、１０月１日の午前０４：００〜０８：００までの４時間で、駐車料金は４００円であった。
初回駐車の駐車料金は４００円、当日の累積金額は４００円、打切り終了時刻は、１０月２日の午前０４：００となる。
その後、第２回目の駐車が１０月１日の１２：００〜２０：００まで行われ、駐車時間は８時間で、駐車料金は８００円であった。
【００７１】
従って、第２回駐車の駐車料金は８００円、当日の前回までの累積金額４００円に８００円を加算し１２００円となる。
そして、累積駐車料金額は打切り上限駐車料金（１２００円）に達したので、当日の売り切り終了時刻までの今後の駐車に対しては、駐車料金は無料となる。
尚、打切り終了時刻は、時間内なので変化無し。
その後、第３回目の駐車が１０月２日の０：００から１０月２日の午前０８：００まで行われ、駐車時間は８時間で、駐車料金は８００円となる。
然しながら、今回の駐車による１０月２日の０：００から打切り終了時刻の１０月２日の午前０４：００迄の駐車は上記した関係で無料となる。
【００７２】
一方、当該打切り終了時刻である１０月２日の午前０４：００以降の駐車に対する駐車料金は、翌日である１０月２日の最初の駐車と見なされるので、前回までの累積駐車料金額はリセットされ、１０月２日の午前０４：００から１０月２日の午前０８：００までの駐車時間は４時間で、請求される駐車料金は４００円となり、今回の駐車に対する累積駐車料金額は４００円となる。
尚、打切り終了時刻は１０月３日の０４：００と設定されることになる。
その後、第４回目の駐車が１０月２日の０１６：００〜翌１０月３日の０４：００まで行われ、駐車時間は１２時間で、駐車料金は１２００円となる。
然しながら、今回の駐車では、駐車料金１２００円を同日内の当該累積駐車料金額４００円に加算すると１６００円となり、当該打切り上限駐車料金１２００円に達するので、今回の駐車による駐車料金はその差額である８００円となる。累積金額は、これまでの累積駐車料金額４００円に今回の駐車料金である８００円を加算し１２００円となる。打切り終了時刻は時間内なので変化無し。
【００７３】
次に、第３のパターンは、初回駐車時間は、１０月１日の午前０４：００から翌日の１０月２日１２：００までの３２時間で、駐車料金は３２００円であった。
このパターンでは、入庫時刻の１０月１日の午前０４：００に対する打ち切り時刻が１０月２日の午前０４：００となるので、その間の駐車料金は、打切り上限駐車料金である１２００円となり、これが１０月１日の駐車料金となる。
一方、１０月２日の午前０４：００の打ち切り時刻以降の駐車に対する駐車料金は、８時間の駐車時間で８００円となり、これが１０月２日の第１回目の駐車に対する駐車料金となる。
従って、１０月２日に於ける累積駐車料金額は８００円（前日の累積駐車料金額はリセットされている）となり、打切り終了時刻は１０月３日の０４：００と設定されることになり、打切り終了時刻は時間内なので変化無し。
その後、第２回目の駐車が１０月２日の０１６：００〜翌１０月３日の０４：００まで行われ、駐車時間は１２時間で、駐車料金は１２００円となる。
然しながら、今回の駐車では、駐車料金１２００円を同日内の当該累積駐車料金額８００円に加算すると２０００円となり、当該打切り上限駐車料金１２００円に達するので、今回の駐車による駐車料金はその差額である４００円となる。累積金額は、これまでの累積駐車料金額８００円に今回の駐車料金である４００円を加算し１２００円となる。打切り終了時刻は時間内なので変化無し。
【００７４】
又、第４のパターンは、初回駐車時間は、１０月１日の午前０４：００〜０８：００までの４時間で、駐車料金は４００円であった。
初回駐車の駐車料金は４００円、当日の累積金額は４００円、打切り終了時刻は、１０月２日の午前０４：００となる。
その後、第２回目の駐車が１０月２日の０：００〜１４：００まで行われ、駐車時間は１４時間で、駐車料金は１４００円となる。
処で、第２回駐車の駐車料金の内、１０月２日の０：００から打切り終了時刻の１０月２日の午前０４：００迄の駐車に対する駐車料金は４００円となり、当日１０月１日の請求に含まれるが、１０月２日の０：００から１０月２日の１４：００までの駐車に対する駐車料金は１０時間で１０００円となり、１０月２日の第１回目の駐車に対する駐車料金として計上される。
そして新たな打切り終了時刻は１０月３日の０４：００と設定されることになる。
【００７５】
処で、ユーザーからみると今回の駐車で、合計１４００円を支払うことになり、日極め上限駐車料金の１２００円を超過してしまう事になる。
そのため、本発明では、１０月２日の０：００から打切り終了時刻の１０月２日の午前０４：００迄の駐車に対する駐車料金と１０月２日の０：００から１４：００までの駐車に対する駐車料金との合計が当該日極め上限駐車料金の１２００円となる様に、１０月２日の０：００から１４：００までの駐車に対する駐車料金を８００円に抑えることにしたものである。従って、第４のパターンでは、第２回目の駐車の内、１０月２日の第１回目の駐車に対する駐車料金が８００円、当該累積駐車料金額が８００円となる。
次に、上記した駐車料金の計算を行うための操作手順について図５乃至図８を参照しながら説明する。
図５は、車両の入庫を管理する入庫管理プログラムのフローチャートである。
【００７６】
本発明における当該駐車場管理システムに於ける車両入庫時の操作の手順の一具体例の概要は、以下の通りである。
スタート後、ステップＳ−１に於いて、ユーザーは、当該駐車場内で、空いている車両駐車スペース２を見つけて、当該車両駐車スペース２(車両駐車スペース識別番号ＩＤをＡ−０５とする)に車両を入庫させる。
ステップＳ−２に於いて、当該車両駐車スペース２に設けられた車両センサー９が当該車両駐車スペース内への当該車両の入庫を検出し、当該車両の当該車両駐車スペース２への入庫時刻を検出し、その結果が当該車両駐車スペース２（識別番号ＩＤ：Ａ−０５）に対応して設けられている当該車両入庫時刻記憶手段Ｍ２内に記憶される。
当該入庫時刻は、当該車両センサー９が当該車両駐車スペース２に入庫した事を検出した時刻であっても良く、或いは、当該検出時刻から所定の時間経過した時刻に設定する事も可能である。
次いで、ステップＳ−３に進み、当該車両センサー９が当該車両駐車スペース内への当該車両の入庫時刻を検出してから所定の期間経過後に、当該車両入出庫制御手段１０が、入出庫不許可状態に設定されて、当該車両が、当該車両駐車スペース２内にロックされる。
その後、ステップＳ−４に於いて、例えば、当該車両駐車スペース２（識別番号ＩＤ：Ａ−０５）に対応して設けられている当該車両入庫時刻記憶手段Ｍ２内の在車ファイル登録操作が実行され、当該所定の車両駐車スペース２（識別番号ＩＤ：Ａ−０５）内の車両駐車情報が全てクリアされ、同時に当該在車ファイルの入庫時刻が更新され、当該車両の当該入庫時刻に書き換えられ、ＥＮＤとなる。
【００７７】
図６は、車両の出庫を管理する出庫管理プログラムの一部の操作を示すフローチャートである。
即ち、図６は、本発明における当該駐車場管理システムに於ける車両出庫時の駐車料金の精算及び支払に関する操作の手順の一具体例を示すフローチャートであって、その概要は、以下の通りである。
スタート後、当該ユーザーは、当該駐車料金に関して、当該駐車場側が提供する当該駐車料金に対する特別なサービスプログラムの適用を受けたいと希望する場合には、ステップＳ−１に於いて、上記したデータ構成を記憶し、且つ読出しも出来る特別駐車券１４を、当該特別駐車券発券手段１６を介して、購入しておく。
当該特別駐車券１４には、契約期間或いは有効期間が記憶されている場合であっても良く或いは当該契約期間或いは有効期間が記憶されていない場合であっても良い。
本発明に於いて、当該特別駐車券１４に対して契約期間或いは有効期間を設定する場合には、例えば、当該特別駐車券１４の発行日から１２カ月（１年間）或いは、最初に使用された日から１２カ月（１年間）と設定する事が可能である。
当該特別駐車券１４内のファイル構造及び各データ構造は、図２で例示されている通りである。
【００７８】
次いで、ステップＳ−２に於いて、当該ユーザーは、当該車両駐車スペース識別番号入力手段８から、当該車両が駐車している当該車両駐車スペース２の識別番号ＩＤ（即ち、Ａ−０５）を入力する。
その後、ステップＳ−３に於いて、当該車両の出庫時刻を決定し記憶する。
即ち、ステップＳ−３に於いて当該車両の出庫時刻は、当該ユーザーによる当該車両駐車スペース識別番号入力手段８への当該車両駐車スペース識別番号の入力があった時刻に設定するか、或いは、当該検出時刻から所定の時間経過した時刻を当該車両の出庫時刻に設定し、その結果が当該車両駐車スペース２（識別番号ＩＤ：Ａ−０５）に対応して設けられている当該車両出庫時刻記憶手段Ｍ４内に記憶されると共に、当該車両駐車スペース２の識別番号ＩＤ（即ち、Ａ−０５）が、当該車両駐車スペース識別番号記憶手段Ｍ３にも記憶されると同時に係る駐車情報は、当該在車ファイルにも格納されることになる。
その後、ステップＳ−４に於いて、当該在車ファイルに記憶されている当該入庫時刻と当該出庫時刻を読み出し、当該第１の記憶手段Ｍ１（２５）に格納されている駐車料金演算プログラムを使用して、今回の当該車両の当該車両駐車スペース２内に於ける駐車時間が当該第１の演算手段である駐車時間演算手段４で演算され、同時にステップＳ−５に於いて、当該駐車時間に対する今回の通常の駐車料金が当該駐車時間演算手段４で演算され、ステップＳ−６に於いて、当該決定された今回の駐車時間に対する通常の駐車料金が、当該表示手段５に表示される。
その後、当該ユーザーは、当該駐車料金に対して、所定のサービスを受けようとする場合に、当該特別駐車券１４を当該特別駐車券挿入手段１５に挿入する。
【００７９】
具体的には、ステップＳ−７に於いて、当該特別駐車券１４が有るか否かが判断され、ＮＯであれば、後述するステップＳ−１３に進み、今回表示された通常の駐車料金の支払い処理に移行するが、ＹＥＳである場合には、ステップＳ−８に於いて、当該特別駐車券１４を当該特別駐車券挿入手段１６に挿入する。
次いで、ステップＳ−９に進み、当該特別駐車券１４が有効であるか否かが判断され、ＹＥＳ，つまり当該特別駐車券１４が無効である場合には、ステップＳ−１０に於いて、当該特別駐車券挿入手段１７から当該ユーザーに対して、当該特別駐車券１４を自動的に返却すると共に、ステップＳ−６に戻って、今回の表示された通常の駐車料金の支払いを求めることになり、一方、当該ステップＳ−９でＮＯである場合、つまり当該特別駐車券１４が有効である場合には、ステップＳ−１１に進み、上記した様な、２４時間出し入れ自由料金システムである、本発明の日極め上限駐車料金システム及び月極め上限駐車料金システムを含む特定サービスプログラムに基づき、通常の駐車料金に対するサービス駐車料金を当該通常の駐車料金を、当該駐車料金修正手段１３に於いて修正処理することにより算出する。
その後、ステップＳ−１２に於いて、当該修正後の今回の駐車料金を再度、当該表示第５に表示する。
【００８０】
本発明に於ける当該具体例に於いて、当該中央演算制御手段１に於いては、上記した当該在車ファイルから、当該車両が今回入庫した当該車両駐車スペースの識別番号、入庫時刻及び出庫時刻を読み出すと同時に並びに当該特別駐車券出庫ファイルより、該当特別駐車券の２４Ｈ打切り最終時刻及び２４Ｈ累積金額を取得し、且つ、特別駐車券１４内の特別駐車券ID、累積データ月及び月内累積駐車料金を基に、再度、料金演算を行い、修正された駐車料金並びに累積データ月及び月内累積駐車料金を算出する。
【００８１】
この時、２４時間以内の累積料金が打切り料金に達した場合、又は、同一月内の累積駐車料金が予め定められた当月最大料金に達した場合は、打切り料金以降の駐車料金の金額は無料となる。
尚、ステップＳ−９に於ける当該特別駐車券１４が無効であるか否かの判定基準は、前記した通り、例えば、
（１）当該特別駐車券１４の有効期限が過ぎている場合、
（２）今回挿入された当該特別駐車券１４を用いた特定の車両駐車スペース２内への今回の入庫時刻が、当該特別駐車券１４に既に記録されている前回駐車時の精算時刻よりも以前の時刻である場合、
（３）他の車両駐車スペース２に於いて、同一の特別駐車券１４が使用されている場合、
（４）同一の車両駐車スペース２内で異なる特別駐車券１４が使用されている場合、
（５）当該車両の入庫時刻が契約期間、有効期間を経過している場合
等である。
【００８２】
その後、ステップＳ−１３に進み、当該ユーザーは、当該表示手段５に表示された今回の駐車料金（サービス料金）と同等の金額を当該駐車料金納入手段６に納入すると、ステップＳ−１４に於いて、当該駐車料金納入有無判別手段７に於いて、当該駐車料金納入手段６に納入された駐車料金の金額が、当該表示手段５に表示されている今回の駐車料金（サービス料金）と一致するか否かが判断され、ＮＯであれば、ステップＳ−１３に戻って、当該今回の駐車料金の支払いを催促するが、ＹＥＳであれば、ステップＳ−１５に進み、当該特定の車両駐車スペース２に於ける当該車両入出庫制御手段１０を入出庫許可状態に設定し、当該車両の出庫を可能にする。
【００８３】
本具体例に於いて、上記した駐車料金の支払いが完了すると、車両入出庫制御手段１０のロックを解除後、ステップＳ−１６に進み、当該特別駐車券１４が使用されたか否かが判断され、ＮＯであれば、後述するステップＳ−１８に進むが。ＹＥＳであれば、ステップＳ−１７に進み、当該前回精算情報、即ち累積データ月及び月内累積駐車料金とを、図２（Ｂ）に示す当該特別駐車券１４のデータファイルに記録した後、当該特別駐車券を当該ユーザーに自動返却する。
その後、ステップＳ−１８に進み、当該在車ファイル内の該当車両駐車スペース２の支払い済み金額及び特別駐車券ＩＤを更新し「使用中」にしてＥＮＤとなる。
本具体例に於いて、新規特別駐車券１４の場合、契約期間を下記の通りとし特別駐車券１４に記録する。
開始年月日：入庫日
終了年月日：入庫日より１年後の月末に設定し記録する。（有効期限は1年）
例えば、２００９年１月１５日入庫の場合、下記の通り記録する。
開始年月日：  ２００９年１月１５日
終了年月日：  ２０１０年１月３１日
又、当該特別駐車券１４を使用時の領収証には、ＰＣＵ１から応答された月内の累積データ月／累積駐車料金を印字する。（累積データ月がオール‘０’でない場合）
【００８４】
次に、図７を参照しながら、本具体例に於ける当該車両の出庫処理の別の処理方法に関する操作手順の具体例を説明する。
先ず、同一月内での同一車両による入出庫に対する出庫処理の操作手順の一例を説明する。
即ち、図７は、本発明に於ける駐車場管理システム１００に於いて、特別駐車券１４のＩＤを基に、駐車関連情報を在庫ファイルより読み込み、駐車料金を演算する処理の操作を示すものであり、スタート後、ステップＳ９０に於いて、精算月累積駐車料金（Ａ）（当該車両が入庫した同一月内で、今回の入庫駐車以前に既に支払いを済ませた駐車料金の合計額で、後述する月跨ぎが発生している場合には、精算月は前月と読み替えるものとする。）を在車ファイル或いは当該特別駐車券１４から読み出すと共に、前月の累積駐車料金（Ａ）（つまり、今回同一車両が入庫した月より以前の月に於ける既払いの駐車料金で、このデータは、後述する月跨ぎ処理の場合に使用する）を０円と設定し、且つ当該車両の入庫時間を今回入庫した年月日の入庫時刻に設定する。
次いで、ステップＳ９１に進み、当該車両の入庫年月と出庫年月とが同一であるか否が判断される。
【００８５】
当該ステップＳ−９１の判断は、当該車両の入出庫が同一月内で実行されたものかどうか、或いは月跨ぎがあったか否かを判断するものである。
本具体例では、同一月内での入出庫であるので、当該車両の入庫年月と出庫年月とが同一であるから、当該ステップＳ−９１ではＹＥＳとなり、ステップＳ−９２に進んで、入庫月内（当月分つまり精算月）での、今回の駐車に対する駐車料金（Ｂ）を演算する。
即ち、今回の今月分の駐車料金（出庫月分）を算出するものである。
当該ステップＳ−９２では、当該当月分の今回の駐車料金（Ｂ）は、当該車両の今回の入庫時間から今回出庫する手続きに入った時刻までの間の駐車時間を求め、それに対応した駐車料金を計算することになる。
又、当該車両が同一月内に於いて既に支払っている駐車料金の合計額、つまり当月分累積駐車料金額（Ａ）は、既にステップＳ−９0に於いて当該データ保持手段３０を構成する在車ファイルから読み出されている。
その後、ステップＳ−９３に進み、当月分（精算月）の累積駐車料金額（Ａ）（同一車両が同一月内で、これまでに支払った当該駐車料金の総額）と、今回の駐車料金（Ｂ）と加算して演算し、当該当月分累積駐車料金額（Ｃ）を求めるものである。
【００８６】
これは、本具体例に於ける当該フローチャートが繰り返し使用される場合の当該当月分累積駐車料金額（Ｃ）の更新の為の演算式である。
当該精算月累積駐車料金（Ａ）は、月内利用車両ファイルから読み出して使用するものであるが、当該精算月の最初の駐車に対しては、当該精算月累積駐車料金（Ａ）は０円である。
従って、今回の駐車で、当該駐車が当該月で最初の駐車であれば、当該当月分累積駐車料金額（Ｃ）は、今回の駐車料金（Ｂ）と同一となり、これが、当該在車ファイル２８と当該月内利用出庫ファイル２７に、その後記憶されて、次回の出庫処理に利用される事になる。
次いで、ステップＳ−９４に進み、当該当月分累積駐車料金額（Ｃ）が、予め定められている月極め上限駐車料金、つまり打切り金額（Ｄ）より、大きいか否かが判断される。
【００８７】
係るステップＳ−９４では、当該打切り金額（Ｄ）のデータは、上記したデータ保持手段３０に設けられた適宜の記憶手段３３に格納されている当該打切り金額を読み出す事によって実行される。
当該ステップＳ−９４でＹＥＳであれば、ステップＳ−９５に進み当該精算月（当月）に於ける今回の駐車料金（Ｈ１）として打切り金額（Ｄ）−精算月累積駐車料金（Ａ）が演算されて求められる。
一方、ステップＳ−９４でＮＯであれば、ステップＳ−９６に進み、当該精算月（当月）に於ける今回の駐車料金（Ｈ２）として、上記した今回の駐車料金（Ｂ）が決定される。
【００８８】
当該ステップＳ−９５若しくはＳ−９６で求められた、当該今回の駐車料金（Ｈ１）若しくは（Ｈ２）は、適宜の記憶手段に記憶させておく。
その後、ステップＳ−９７に進み、当該精算当月分累積駐車料金額（Ａ‘）（当月分）を、前記した今回の駐車以前に於いて同一月内で同一車両が既に支払っている精算月累積駐車料金（Ａ）（前記したファイルから読み出す）と当該今回の駐車料金（Ｈ１）、又は（Ｈ２）とを加算して演算の上求め、その結果を当該在車ファイルおよび当該月内利用車両ファイルに記憶する事になる。
当該精算当月分累積駐車料金額（Ａ‘）のデータがメモリ上の精算当月分累積駐車料金額（Ａ）に置き換えられ、次回の駐車料金の演算に使用される。
上記した通り、本具体例では、当該精算月（当月）の最初の入庫に有っては、当該既に支払っている精算月累積駐車料金（Ａ）は、０円である事は言うまでもない。
【００８９】
従って、その場合には、当該ステップＳ−９７では、当該今回の駐車料金は、Ｈ１又はＨ２となる。
尚、当該ステップＳ−９７では、後述する様に、当該車両が月跨ぎ駐車を行ってきた事に対する駐車料金を含めた総合駐車料金（Ｅ）を当該車両に対して請求する為に、別途、同一車両に対する今回の出庫に関する、今回請求の駐車料金として、最終的には、前月迄の未払いと見なされる駐車料金（Ｆ）と今回の駐車料金Ｈ１又はＨ２とを加算して求める様になっている。
その後、ステップＳ−９８に進んで、上記した情報を当該月内利用車両ファイルに格納すると共に、当該車両に対応した当該特別駐車券のシリアルナンバー及び／又はＩＤ番号をキーとして、当該特別駐車券１４若しくは在車ファイルに、前回精算年月（出庫年月）及び精算月累積駐車料金（Ａ’）を（Ａ）と置き換えて格納する。
【００９０】
次いで、ステップＳ−９９に進み、当該車両の出庫に対する今回の駐車料金を所定の表示手段に表示し、ステップＳ−１００に於いて、当該駐車料金を当該特別駐車券１４の所有者に請求する処理が実行され、ステップＳ−１０１に於いて、当該請求した駐車料金が入金されたか否かが判断され、ＮＯであれば、当該ステップＳ−１００に戻って上記工程が繰り返され、ＹＥＳであれば、ステップＳ−１０２に進んで、当該特別駐車券である特別駐車券１４をユーザーに返却し、当該車両入出庫制御手段１０を入出庫許可状態に設定して当該車両駐車スペース２を開放してＥＮＤとなる。
【００９１】
次に、所定の車両の駐車が月跨ぎである場合の操作手順の一例を以下に説明する。
以下の具体例では、例えば、当該車両が９月３０日の午後１時００分に入庫して、同年の１０月１日の午後４時００分に出庫した場合を想定して説明する。
即ち、スタート後、ステップＳ９０に於いて、精算月累積駐車料金を在車ファイルから読み出すと共に、前月（つまり９月）の駐車料金を０円と設定し、且つ当該車両の入庫時間を、今回入庫した年月日の入庫時刻（つまり、９月３０日午後１時００分）に設定する。
【００９２】
次いで、ステップＳ９１に進み、当該車両の入庫年月と出庫年月とが同一であるか否が判断される。
本具体例では、月跨ぎの入出庫であるので、当該車両の入庫年月と出庫年月とが異なっているから、当該ステップＳ−９１ではＮＯとなり、ステップＳ−２００に進んで、最先の入庫月内（つまり９月分）に於ける今回の駐車に対する駐車料金（Ｉ）を演算する。
具体的には、当該車両の駐車料金（Ｉ）は、ステップＳ−９０で入力した当該車両の入庫月日時刻及び当該当日（９月３０日）の２３：５９又は翌日(１０月１日)の０：００の時刻のデータから、当該予め定められた単位時間による基本駐車料金から前月分（つまり９月分）の最終駐車料金（Ｉ）を算出する。
その後、ステップＳ−２０１に進み、入庫月（つまり９月分）の一ヶ月に於ける支払いとして要求される総合駐車料金（Ｊ）（本発明で言う前月分の累積駐車料金）を算出する事になる。
これは、後述する様に、月極め上限駐車料金（Ｄ）との比較を行う為のデータを得るのに必要な演算であって、当該月（９月）中に既に支払っている駐車料金、即ち、当該精算月累積駐車料金（Ａ）と今回の入庫による最新の駐車料金（Ｉ）（後述する前月の未払い駐車料金（Ｆ）に相当する）との合計として演算される。
換言するならば、当該精算月（９月）の既に支払済みの累積駐車料金（Ａ）と、当該車両が入庫した９月３０日午後１時００分から同年９月３０日午後１１時５９分迄（或は翌月の１日の午前００時００分と設定しても良い。）の当該車両の駐車料金（Ｉ）と、を算出して合算するものである。
【００９３】
つまり、当該同一車両が、前月中（９月)に支払うことになる前月分（９月分）累積駐車料金駐車料金（Ｊ）の合計額を、前月中（９月)に当該同一車両が今回入庫するまでに既に支払っている精算月累積駐車料金（Ａ）と、今回算出された当該同一車両に対する駐車料金（Ｉ）と、を加算して求める事になる。
本発明に於いては、当該精算月累積駐車料金（Ａ）である、同一車両が同一月内で（つまり９月中）今回入庫するまでに既に支払っている累積駐車料金は、当該特別駐車券１４又は、在車ファイル或は当該月内利用車両ファイルから読み出す事が出来る。
勿論、当該車両が当該前月中、つまり９月に於いて、初めての入庫である場合には、当該前月分累積駐車料金は０円であることは言うまでもない。
当該ステップＳ−２０１で算出された当該前月分（９月分）累積駐車料金額（Ｊ）は、当該特別駐車券１４又は、当該在車ファイルと当該月内利用車両ファイルに、その後記憶されて、当該前月分（９月分）累積駐車料金（Ａ）と当該打切り金額（Ｄ）との関係を判断するのに利用される事になる。
【００９４】
此処までの処理操作によって、当該車両の９月中（出庫処理月から見て先月中）に支払いを必要とする合計駐車料金（Ｊ）が決定されることになる。
その後、ステップＳ−２０２に進み、当該車両の当該前月（９月中）中に支払う必要がある前月分累積駐車料金額（Ｊ）が、予め定められている月極め上限駐車料金額、つまり打切り金額（Ｄ）より、大きいか否かが判断される。
当該ステップＳ−２０２でＹＥＳであれば、即ち、前月分累積駐車料金額（Ｊ）が、当該打切り金額（Ｄ）より大きい場合には、ステップＳ−２０３に進み、当該前月分（９月分）に於ける、新たに支払いの必要な駐車料金（Ｇ１）として、当該前月迄の駐車料金（Ｊ）＋（打切り金額（Ｄ）−精算月累積駐車料金（Ａ））が演算されて求められる。
当該ステップＳ−２０３での当該演算処理は、上記した様に、当該フローチャートが繰り返し使用される場合に、当該前月迄の駐車料金Ｇ１は、前月迄の駐車料金（Ｇ）と当月の最後の駐車に対して求められた駐車料金（Ｉ）とで更新される事を意味している。
つまり、当該前月迄の駐車料金（Ｇ）は、後述する様に、１０月中に支払うべき駐車料金を演算する場合に、９月分に支払うべき駐車料金を演算するのに使用される。
【００９５】
一方、ステップＳ−２０２でＮＯであれば、即ち、前月分累積駐車料金額（Ｊ）が、当該打切り金額（Ｄ）より小さい場合には、ステップＳ−２０４に進み、当該前月分（９月分）に於ける支払いの必要な駐車料金Ｇ２として、つまり９月分の累積駐車料金Ｇ２として、（当該前月迄の駐車料金（Ａ））＋（今回算出された駐車料金（Ｉ））が演算されて求められる。
係る９月分の累積駐車料金Ｇ１及びＧ２は、適宜の方法でユーザーに請求が行われる。
尚、上記した様に、頭初のループでは、当該前月迄の駐車料金Ｇは０である。
当該ステップＳ−２０３とステップＳ−２０４で求められた、当該今回の駐車料金Ｇ１若しくは今回の駐車料金Ｇ２は、ステップＳ−２０５に於いて、前月迄の駐車料金（Ａ）と置き換えて適宜の記憶手段に記憶させておく。
その後、ステップＳ−２０６に進み、１０月１日の０：００に入庫があり、同日の１６：００に出庫した駐車に対する駐車料金の演算を実行する為に、１０月分の駐車料金を求める操作が行われる。
【００９６】
当該ステップＳ−２０６では、当該車両の入庫日時及び時刻を次の月、つまり１０月１日の午前００時００分に設定し、出庫日時及び時刻を同年１０月１日の午後１６時００分に設定し、ステップＳ−９１に戻る事になる。
当該ステップＳ−２０６では、更に、精算月の累積駐車料金を０円に設定すると共に、入庫時間=入庫時間＋２４Ｈ，打ち切り終了時間＝打ち切り終了時間＋２４Ｈに設定する事も望ましい。
【００９７】
当該ステップＳ−９１では、当該車両の入庫年月（１０月）と出庫年月（１０月）とが同じであるから、当該ステップＳ−９１ではＹＥＳとなり、前記したステップＳ−９２に進んで、出庫月内（つまり１０月分）に於ける今回の駐車に対する駐車料金を演算する。
ステップＳ−９２では、当該駐車料金（Ｂ１）は、当該車両の当月分（１０月）に於ける今回の駐車の為に入庫した入庫時間から今回出庫する手続に入った時刻までの間の駐車時間を求め、それに対応した駐車料金を計算することになる。
その後のステップＳ−９３乃至ステップＳ−１０２までの操作は、既に説明した通りのものとなる。
尚、上記具体例に於いて、何れのステップにあっても、当該精算月累積駐車料金が、既に当該打ち切り金額（Ｄ）に到達している場合には、当該月の最終日の最終時刻までの全ての入出庫に対しては、課金は行わない様に構成されている。
【００９８】
上記の操作手順では、月跨ぎとなる駐車があった場合に、月跨ぎ前の月の駐車料金と月跨ぎ後の月の駐車料金とを個別に演算し、前月分と後月分の当該駐車料金とを別々に請求する事を前提とするものであるが、別の操作手順としては、月跨ぎ前の月の駐車料金と月跨ぎ後の月の駐車料金とを個別に演算はするが、請求は月跨ぎ後の駐車料金と合体して請求する事も可能である。
図８は、車両の出庫を管理する出庫管理プログラムの他の部分の操作を示すフローチャートである。
【００９９】
即ち、図８は、本発明における当該駐車場管理システムに於ける車両出庫時の当該特別駐車券出庫ファイルの処理操作の一具体例を示すフローチャートであって、スタート後、ステップＳ−１に於いて、当該車両が当該車両駐車スペース２から出庫すると、当該車両駐車スペース２に設けられた当該車両入出庫センサー手段９が当該車両の出庫を検出し、ステップＳ−２に進んで、当該特別駐車券出庫ファイルの更新処理が実行される。
つまり、当該特別駐車券出庫ファイル当該車両の出庫時に作成され、且つ更新されるものである。
即ち、図３（Ｂ）に示された当該特別駐車券出庫ファイルに於ける当該特別駐車券ＩＤ及び２４時間打ち切り最終時刻及び２４時間累積駐車料金（合計料金）が更新され、その後、ステップＳ−３に進んで、在車ファイルを削除する操作が実行され、ＥＮＤとなる。
即ち、当該ステップＳ−３に於いては、当該車両が、当該車両駐車スペース２から出庫した場合には、当該車両駐車スペース２の在車ファイル情報をクリアし、当該車両駐車スペース２を空き状態に設定する。（不正脱出の場合も同様とする）
【０１００】
更に、毎日、午前０時を超えた或いは打ち切り時間を超えた当該特別駐車券出庫ファイルに於ける、当該車両データは、自動的に削除される事が望ましい。
以下に、月跨ぎ前の月の駐車料金と月跨ぎ後の月の駐車料金とを合体して請求する場合の一具体例の操作手順について図１０乃至図１３を参照しながら説明する。
【０１０１】
即ち、スタート後、ステップＳ−１１で、当該月跨ぎの発生している前日の入庫時刻から決定されている打ち切り終了時刻と当該車両の当該駐車場への出庫時刻とが検出され、当該車両の出庫時刻が当該打ち切り終了時刻よりも早いか遅いかが判断され、当該車両の出庫時刻が当該打ち切り終了時刻よりも早い（つまり当該車両の当該出庫時刻は、既に設定されている当該打ち切り終了時刻よりも以前である場合）場合には、ステップＳ−１２に進み、前日の入庫時刻と出庫時刻の情報から駐車時間を算出し、それに対応する駐車料金（ａ）を決定する。
前日の駐車料金（ａ）＝今回の入庫時間から出庫時刻迄の料金
【０１０２】
次いで、ステップＳ−１３に進み、前日の駐車に対する累積駐車料金（ｂ）を記憶データから読み出し、今回の駐車料金（ａ）と合算して前日の累積駐車料金（ｃ）を算出する。
前日の累積駐車料金（ｃ）＝前日での累積駐車料金（ｂ）＋今回の駐車料金（ａ）
その後、ステップＳ−１４に進んで、ステップＳ−１３で得られた当該今回の累積駐車料金（ｃ）が、既に設定されている当該打ち切り料金（例えば１２００円）よりも高いか安いかが判断され、今回の累積駐車料金（ｃ）が当該打切り料金よりも高い場合には、ステップＳ−１５に進んで、打切り料金−前日の累積駐車料金（ｂ）の演算を実行して、今回請求すべき駐車料金の額（ｄ）を算出する。
【０１０３】
一方、ステップＳ−１４で、当該今回の累積駐車料金（ｃ）が、既に設定されている当該打ち切り料金（例えば１２００円）よりも安い場合には、ステップＳ−１６に進んで、当該今回の駐車料金（ａ）を今回請求すべき駐車料金の額（ｄ‘）として算出する。
一方、ステップＳ−１１で当該車両の出庫時刻が打ち切り終了時刻よりも遅い場合には、ステップＳ−１７に進み、今回の入庫時刻から出庫時刻の情報から駐車時間を算出し、それに対応する通常の駐車料金（ａ）を決定する。
その後、ステップＳ−１８に進み、今回の入庫時間から打切り終了時刻迄の駐車時間を求め、当該駐車に対応する通常の駐車料金（ｅ）を算出する。
駐車料金（ｅ）＝  今回の入庫時間から打切り終了時刻迄の料金
【０１０４】
次いで、ステップＳ−１９に進んで、前回までの駐車に対する累積駐車料金（ｂ）を記憶データから読み出し、今回の駐車料金（ｅ）と合算して今回の累積駐車料金（ｇ）（即ち、今回の入庫時刻から打切り終了時刻迄の駐車に対する累積駐車料金）を算出する。
今回の累積金額（ｇ）＝  前回までの累積金額（ｂ）＋今回の駐車料金（ｅ）
その後、ステップＳ−２０に進み、今回の累積金額（ｇ）（即ち、今回の入庫時刻から打切り終了時刻迄の駐車に対する累積駐車料金）が当該打ち切り料金より高いか安いかが判断され、今回の累積金額（ｇ）が当該打ち切り料金よりも高い場合には、ステップＳ−２１に進み、今回の入庫時刻から打切り終了時刻迄の駐車に対する駐車料金請求金額（ｈ）は、
駐車料金請求金額（ｈ）＝打切り料金−今回の累積金額（ｇ）
として算出され、一方、今回の累積金額（ｇ）が当該打ち切り料金よりも安い場合には、ステップＳ−２２に進み、今回の入庫時刻から打切り終了時刻迄の駐車に対する駐車料金請求金額（ｈ’）は、今回の累積金額（ｇ）（即ち、今回の入庫時刻から打切り終了時刻迄の駐車に対する累積駐車料金）として算出される。
【０１０５】
その後、ステップＳ−２３に進んで、当該打ち切り終了時刻から出庫時刻までの期間の駐車時間を算出し、当該駐車時間に対応する通常の駐車料金（ｉ）が演算される。
駐車料金請求金額（ｉ）＝打切り最終時刻から出庫時刻迄の料金
次いで、ステップＳ−２４に進み、上記した駐車料金請求金額（ｉ）と上記した駐車料金請求金額（ｈ）又は（ｈ’）を合算して、最終的な駐車料金請求金額（ｊ）を決定する。
駐車料金請求金額（ｊ）＝駐車料金請求金額（ｉ）＋駐車料金請求金額（ｈ）又は（ｈ’）
【０１０６】
その後、ステップＳ−２５に進み、当該駐車料金請求金額（ｊ）と打ち切り料金とが判断され、当該ステップＳ−２５で、当該駐車料金請求金額（ｊ）が当該打ち切り料金よりも安いと判断された場合には、当該駐車料金請求金額（ｊ）を今回の請求金額と判断してＥＮＤとなるが、当該ステップＳ−２５で、当該駐車料金請求金額（ｊ）が当該打ち切り料金よりも高いと判断された場合には、ステップＳ−２６に進んで、当該打ち切り料金を当該駐車料金請求金額（ｊ）として決定し、ＥＮＤとなる。
次に、上記した本発明に係る月極め駐車料金管理システムを実行するについて、各日毎の日極め駐車料金の演算方法の一具体例の操作手順について図１１乃至図１３を参照しながら説明する。
以下の日毎の駐車に対する駐車料金の算出に関しては、上記で説明されている通り、各日に対応するものは、当日に車両が駐車場に入庫した時刻と当該入庫時刻に２４時間を加算した打ち切り時刻で規定される打ち切り期間であり、実際の暦に従った日の単位とずれているものである。
【０１０７】
即ち、本具体例に於いては、出庫時の処理操作手順の一例を示すものであり、図中、スタート後、ステップＳ−１で、特別駐車券を入庫ゲートの所定の挿入部に挿入し、ステップＳ−２で当該車両の入庫日に於ける最初の入庫時間から今回の出庫時間までの駐車時間を演算し、ステップＳ−３に於いて、当該駐車時間の合計は、当該打ち切り時間（即ち、入庫時刻に２４時間加算された時刻までの間の期間）以内かが判断され、ＹＥＳであれば、ステップＳ−４に進み、当日中（つまり当該打ち切り時間内）で既に支払った駐車料金が記録されているか否かが判断され、当該ステップＳ−４でＮＯであれば、ステップＳ−５に進んで入庫から出庫までの駐車時間を算出した後、ステップＳ−６に進む。
【０１０８】
ステップＳ−６では、当該駐車時間に対応する駐車料金（ａ）を算出した後、ステップＳ−７に進み、当該駐車時間に対応する駐車料金（ａ）が当該駐車料金の上限値（日極り上限駐車料金（ｕ））であるか否かが判断され、ＹＥＳであれば、ステップＳ−７に於いて、当該駐車料金（ａ）は当該上限駐車料金（ｕ）と同じか或いは当該上限駐車料金（ｕ）を超えているかが判断され、ＹＥＳであればステップＳ−８に進み、上限駐車料金（ｕ）を今回の打ち切り時間内の駐車料金として請求する。
次いで、ステップＳ−９で当該駐車料金が精算されたか否かが判断され、ＮＯであればステップＳ−９が繰り返され、ＹＥＳであればステップＳ−１０に進み、上限駐車料金（ｕ）の支払い事実を当該特別駐車券１４の記憶手段に格納すると共に、当日内（つまり当該打ち切り時間内）で以後の入庫、出庫をフリーとするフラグを立てた後、ステップＳ−１１に進み、駐車場のゲートを開放し、次いで、ステップＳ−７１に進み、打ち切り時間が経過したか否かが判断され、ステップＳ−７１でＮＯであれば、ステップＳ−４に戻り、上記した各ステップが繰り返され、ステップＳ−７１で、ＹＥＳであれば図７のフローチャートに於けるステップＳ−９１に戻り図７のフローチャートの各ステップが実行される。
【０１０９】
一方、ステップＳ−７でＮＯであれば、ステップＳ−１２に進み、上記駐車料金（ａ）を駐車料金として請求する。
そして、ステップＳ−１３で当該駐車料金（ａ）が精算されたか否かが判断され、ＮＯであればステップＳ−１３が繰り返され、ＹＥＳであればステップＳ−１４に進み、当該駐車料金（ａ）の支払い事実を当該特別駐車券１４の記憶手段に格納してステップＳ−１１に進み、駐車場のゲートを開放し、次いで、ステップＳ−７１に進み、打ち切り時間が経過したか否かが判断され、ステップＳ−７１でＮＯであれば、ステップＳ−４に戻り、上記した各ステップが繰り返され、ステップＳ−７１で、ＹＥＳであれば図７のフローチャートに於けるステップＳ−９１に戻り図７のフローチャートの各ステップが実行される。
【０１１０】
又、ステップＳ−４で、ＹＥＳであればステップＳ−１５に於いて、今回（今回の打ち切り時間内）の入庫時から出庫までの時間を演算し、ステップＳ−１６に於いて、当該駐車時間（同一切り時間内）に対応する駐車料金（ｂ）を算出した後、ステップＳ−１７に於いて、当該車両が同一日に於いて既に支払済みの駐車料金の総額（ｃ）を当該記憶手段から読み出し、ステップＳ−１８に進み、当該駐車料金（ｂ）と当該既に支払済みの駐車料金の総額（ｃ）とを加算して駐車料金の総額（ｌ）＝（ｂ）＋（ｃ）を演算する。
次いで、ステップＳ−１９に於いて、当該駐車料金の総額（ｌ）が、当該駐車料金の上限値（上限駐車料金（ｕ））と同じか或いは当該上限駐車料金（ｕ）を超えているかが判断され、ＹＥＳであれば、ステップＳ−２０に於いて、当該上限駐車料金（ｕ）から当該駐車料金の総額（ｌ）を減算した差額（ｐ）＝（ｕ）−（ｌ）を今回の駐車料金として請求する。
【０１１１】
その後、ステップＳ−２１に進んで、当該駐車料金（ｐ）が精算されたか否かが判断され、ＮＯであればステップＳ−２１が繰り返され、ＹＥＳであればステップＳ−２２に進み当該駐車料金（ｐ）の支払い事実を当該特別駐車券１４の記憶手段に格納すると共に、当日内で以後の入庫、出庫をフリーとするフラグを立て、ステップＳ−１１に進み、駐車場のゲートを開放し、次いで、ステップＳ−７１に進み、打ち切り時間が経過したか否かが判断され、ステップＳ−７１でＮＯであれば、ステップＳ−４に戻り、上記した各ステップが繰り返され、ステップＳ−７１で、ＹＥＳであれば図７のフローチャートに於けるステップＳ−９１に戻り図７のフローチャートの各ステップが実行される。
又、ステップＳ−１９でＮＯであれば、ステップＳ−２３に進んで、入庫、出庫がフリーである事を求めるか否かが判断され、ＹＥＳであればステップＳ−２４に進み、当該上限駐車料金（ｕ）から当該駐車料金の総額（ｌ）を減算した差額（ｄ）＝（ｕ）−（ｌ）を今回の駐車料金として請求する。
【０１１２】
次いで、ステップＳ−２５に於いて、当該駐車料金（ｄ）が精算されたか否かが判断され、ＮＯであればステップＳ−２５が繰り返され、ＹＥＳであればステップＳ−２６に進み当該駐車料金（ｄ）の支払い事実を当該特別駐車券１４の記憶手段に格納すると共に、当日内（つまり当該打ち切り時間内）で以後の入庫、出庫をフリーとするフラグを立て、ステップＳ−１１に進み、駐車場のゲートを開放し、次いで、ステップＳ−７１に進み、打ち切り時間が経過したか否かが判断され、ステップＳ−７１でＮＯであれば、ステップＳ−４に戻り、上記した各ステップが繰り返され、ステップＳ−７１で、ＹＥＳであれば図７のフローチャートに於けるステップＳ−９１に戻り図７のフローチャートの各ステップが実行される。
【０１１３】
一方、ステップＳ−２３でＮＯであれば、ステップＳ−２７に進み、駐車料金（ｂ）を今回の駐車料金として請求し、ステップＳ−２８に於いて、当該駐車料金（ｂ）が精算されたか否かが判断され、ＮＯであればステップＳ−２８が繰り返され、ＹＥＳであればステップＳ−２９に進み当該駐車料金（ｂ）の支払い事実を当該特別駐車券１４の記憶手段に格納してステップＳ−１１に進み、駐車場のゲートを開放し、次いで、ステップＳ−７１に進み、打ち切り時間が経過したか否かが判断され、ステップＳ−７１でＮＯであれば、ステップＳ−４に戻り、上記した各ステップが繰り返され、ステップＳ−７１で、ＹＥＳであれば図７のフローチャートに於けるステップＳ−９１に戻り図７のフローチャートの各ステップが実行される。
【０１１４】
又、前記したステップＳ−３に於いてＮＯであれば、ステップＳ−３０に進み、日跨ぎがあったこと（つまり当該打ち切り時刻を過ぎてから出庫があった）を確認し、ステップＳ−３１に進み、当日（当該）に於ける最後の入庫時刻から当該打ち切り時刻までの駐車時間を算出し、ステップＳ−３２に於いて、当該駐車時間に対応する駐車料金（ｅ）を算出する。
【０１１５】
その後、ステップＳ−３３に於いて、当該車両に関して当日中（当該打ち切り時間内）に既に支払った駐車料金があるか否かが判断され、ＹＥＳであれば、ステップＳ−３４に進んで、今回の駐車料金（ｅ）と、当該既に支払った駐車料金の合計金額（ｆ）とを加算した加算値として（ｇ）＝（ｅ）＋（ｆ）を算出する。
当該加算値（ｇ）は、当該打ち切り時間内の累積駐車料金となる。
一方、ステップＳ−３３に於いて、ＮＯであれば、後述する様に、ステップＳ−３５に進む事になる。
次いで、ステップＳ−３５に於いて、当該加算値（ｇ）或いは今回の駐車料金（ｅ）が当該駐車料金の上限値（上限駐車料金（ｕ））と同じか或いは当該上限駐車料金（ｕ）を超えているかが判断され、ＹＥＳであれば、ステップＳ−３７に於いて、当該上限駐車料金（ｕ）若しくは、当該上限駐車料金（ｕ）と既に支払った駐車料金の合計金額（ｆ）との差額＝（（ｕ）−（ｆ））が演算され、その結果（ｈ）を今回の駐車料金として定め、駐車料金がステップＳ−３８で当該記憶手段に格納される。
一方、ステップＳ−３５でＮＯであれば、ステップＳ−３６に於いて当該駐車料金（ｅ）を今回の駐車料金として定め、当該駐車料金がステップＳ−３８で当該記憶手段に格納される。
【０１１６】
その後、ステップＳ−３９に於いて、更なる日跨ぎが存在するか否かが判断され、ＮＯであればステップＳ−４０に進み、当該日跨ぎ日(つまり当該打ち切り時刻)から当該車両の出庫時刻までの駐車時間を算出し、ステップＳ−４１で、当該駐車時間に対応する当該打ち切り時刻から出庫時刻までの分の駐車料金（ｉ）を算出する。
次いで、ステップＳ−４２に進み、前日（最後の入庫時刻から当該打ち切り時刻まで）の駐車の駐車料金（ｈ）と当該翌日分（つまり、当該打ち切り時刻から出庫時刻までの分）の駐車料金（ｉ）との合計額が当該駐車料金の上限値（上限駐車料金（ｕ））と同じか或いは当該上限駐車料金（ｕ）を超えているかが判断され、ＮＯであればステップＳ−４３に進み、入庫、出庫がフリーである事を求めるか否かが判断される。
【０１１７】
当該ステップＳ−４３でＮＯであれば、ステップＳ−４４に進んで、翌日分（つまり、当該打ち切り時刻から出庫時刻までの分）の駐車料金（ｉ）と前日（最後の入庫時刻から当該打ち切り時刻まで）の駐車の駐車料金（ｈ）の合計を今回の駐車料金として請求し、ステップＳ−４５に於いて当該駐車料金（ｉ）＋（ｈ）が精算されたか否かが判断され、ＮＯであればステップＳ−４５が繰り返され、ＹＥＳであればステップＳ−４６に進み当該駐車料金（ｉ）＋（ｈ）の支払い事実を当該特別駐車券１４の記憶手段に格納すると共に、前日の全てのデータを当該記憶手段から消去してステップＳ−１１に進み、駐車場のゲートを開放し、次いで、ステップＳ−７１に進み、打ち切り時間が経過したか否かが判断され、ステップＳ−７１でＮＯであれば、ステップＳ−４に戻り、上記した各ステップが繰り返され、ステップＳ−７１で、ＹＥＳであれば図７のフローチャートに於けるステップＳ−９１に戻り図７のフローチャートの各ステップが実行される。
【０１１８】
一方、当該ステップＳ−４３でＹＥＳであればステップＳ−４７に進み、当該上限駐車料金（ｕ）を今回の駐車料金として請求する。
次いで、ステップＳ−４８に於いて、当該駐車料金（ｕ）が精算されたか否かが判断され、ＮＯであればステップＳ−４８が繰り返され、ＹＥＳであればステップＳ−４９に進み当該上限駐車料金（ｕ）の支払い事実を当該特別駐車券１４の記憶手段に格納すると共に、前日の全てのデータを当該記憶手段から消去し、且つ当日内で以後の入庫、出庫をフリーとするフラグを立て、ステップＳ−１１に進み、駐車場のゲートを開放し、次いで、ステップＳ−７１に進み、打ち切り時間が経過したか否かが判断され、ステップＳ−７１でＮＯであれば、ステップＳ−４に戻り、上記した各ステップが繰り返され、ステップＳ−７１で、ＹＥＳであれば図７のフローチャートに於けるステップＳ−９１に戻り図７のフローチャートの各ステップが実行される。
【０１１９】
一方、ステップＳ−４２で、ＹＥＳであればステップＳ−５０に進み、今回の駐車料金として、当該上限駐車料金（ｕ）を請求し、ステップＳ−５１に於いて当該駐車料金（ｕ）が精算されたか否かが判断され、ＮＯであればステップＳ−５１が繰り返され、ＹＥＳであればステップＳ−５２に進み当該上限駐車料金（ｕ）の支払い事実を当該特別駐車券１４の記憶手段に格納すると共に、前日の全てのデータを当該記憶手段から消去し、且つ当日内で以後の入庫、出庫をフリーとするフラグを立て、その後ステップＳ−１１に進み、駐車場のゲートを開放し、次いで、ステップＳ−７１に進み、打ち切り時間が経過したか否かが判断され、ステップＳ−７１でＮＯであれば、ステップＳ−４に戻り、上記した各ステップが繰り返され、ステップＳ−７１で、ＹＥＳであれば図７のフローチャートに於けるステップＳ−９１に戻り図７のフローチャートの各ステップが実行される。
【０１２０】
一方、ステップＳ−３９でＹＥＳであれば（つまり更なる日跨ぎが存在している場合）ステップＳ−５３に於いて、当該上限駐車料金（ｕ）に当該更なる日跨ぎの回数ｍを乗算した金額｛（ｊ）＝（ｕ）×ｍ｝が演算され、続いてステップＳ−５４で、当該日跨ぎが最後の日跨ぎであるか否かが判断され、ＮＯであればステップＳ−５６に進み、日跨ぎの回数ｍを１だけインクリメントしてステップＳ−５３に戻り、上記操作を繰り返えすが、当該ステップＳ−５４でＹＥＳであれば、ステップＳ−５５に進み、当該更なる日跨ぎの回数ｍに基づく駐車料金｛（ｊ）＝（ｕ）×ｍ｝を請求額として決定し、当該記憶手段に格納しておく。
係る駐車料金は、後工程で駐車料金を請求する際に加算される。
その後、ステップＳ−５７に於いて、最後の日跨ぎ日の当日の０時から（最後の打ち切り時刻）当該車両の出庫時刻までの駐車時間を算出し、ステップＳ−５８に進んで当該駐車時間に対応する駐車料金として算出する。
更に、ステップＳ−５９に於いて、当該駐車料金（ｋ）が当該駐車料金の上限値（ｕ）と同じか或いは当該上限駐車料金（ｕ）を超えているかが判断され、ＹＥＳであれば、ステップＳ−６０に於いて、当該上限駐車料金（ｕ）を今回の駐車料金として請求する。
【０１２１】
その際に、既に駐車料金として計算されている前記した駐車料金と繰り返しの日跨ぎ駐車料金（ｕ）×ｍも同時に請求することになる。
つまり当該駐車料金の総額（ｐ）としては、例えば、（ｐ）＝（ｕ）＋（ｈ）＋（ｊ）＋（ｋ）となる。
その後、ステップＳ−６１に於いて、当該駐車料金（ｕ）及び上記の加算駐車料金が精算されたか否かが判断され、ＮＯであればステップＳ−６１が繰り返され、ＹＥＳであればステップＳ−６２に進み当該上限駐車料金（ｕ）の支払い事実を当該特別駐車券１４の記憶手段に格納すると共に、前日の全てのデータを当該記憶手段から消去し、且つ当日内で以後の入庫、出庫をフリーとするフラグを立て、ステップＳ−１１に進み、駐車場のゲートを開放し、次いで、ステップＳ−７３に進み、日跨ぎ回数ｍに相当する日数を当該入庫日に加算した日の打ち切り時間経過した後に再入庫があったものと判断し、ステップＳ−７４で、月極め処理を行う為に図７のフローチャートに於けるステップＳ−９１に戻り図７のフローチャートの各ステップが実行される。
【０１２２】
一方、ステップＳ−５９でＮＯであれば、ステップＳ−６３に進んで、入庫、出庫がフリーである事を求めるか否かが判断される。
当該ステップＳ−６３でＮＯであれば、ステップＳ−６８に進み、当該最後の更なる日跨ぎ日当日の駐車料金（ｋ）と当該更なる日跨ぎの回数ｍに基づく駐車料金（ｊ）及び当該日跨ぎ日以前の日における駐車料金である上記（ｈ）とが合算された額（ｐ‘）＝（ｋ）＋（ｊ）＋（ｈ）｝を算出して今回の駐車料金として請求する。
【０１２３】
次いで、ステップＳ−６９に於いて、当該駐車料金（ｐ‘）が精算されたか否かが判断され、ＮＯであればステップＳ−６９が繰り返され、ＹＥＳであればステップＳ−７０に進み、当該駐車料金（ｐ）の支払い事実を当該特別駐車券１４の記憶手段に格納すると共に、前日の全てのデータを当該記憶手段から消去してステップＳ−１１に進み、駐車場のゲートを開放し、次いで、ステップＳ−７３に進み、日跨ぎ回数ｍに相当する日数を当該入庫日に加算した日の打ち切り時間経過した後に再入庫があったものと判断し、ステップＳ−７４で、月極め処理を行う為に図７のフローチャートに於けるステップＳ−９１に戻り図７のフローチャートの各ステップが実行される。
【０１２４】
一方、当該ステップＳ−６３でＹＥＳであればステップＳ−６４に進み、当該上限駐車料金（ｕ）を今回の駐車料金として請求し記憶する。
次いで、ステップＳ−６５に於いて、当該上限駐車料金（ｕ）に（（ｋ）＋（ｊ）＋（ｈ））を加算して合算された額、即ち（ｐ“）＝（ｕ）＋（ｊ）＋（ｋ）＋（ｈ）を算出して今回の駐車料金として請求する。
次いで、ステップＳ−６６に於いて、当該駐車料金（ｐ“）が精算されたか否かが判断され、ＮＯであればステップＳ−６６が繰り返され、ＹＥＳであればステップＳ−６７に進み、当該駐車料金（Ｎ）の支払い事実を当該特別駐車券１４の記憶手段に格納すると共に、前日の全てのデータを当該記憶手段から消し、且つ当日内で以後の入庫、出庫をフリーとするフラグを立て、ステップＳ−１１に進み、駐車場のゲートを開放し、次いで、ステップＳ−７３に進み、日跨ぎ回数ｍに相当する日数を当該入庫日に加算した日の打ち切り時間経過した後に再入庫があったものと判断し、ステップＳ−７４で、月極め処理を行う為に図７のフローチャートに於けるステップＳ−９１に戻り図７のフローチャートの各ステップが実行される。
【産業上の利用可能性】
【０１２５】
本発明は、無人化された駐車場の管理運営装置及びそのシステムとして有効に使用する事が可能である。
【符号の説明】
【０１２６】
１  中央演算制御手段
２  車両駐車スペース
３  時刻情報発生手段
４  駐車料金演算手段（第１の演算手段）
５  表示手段
６  駐車料金納入手段
７  駐車料金納入有無判断手段（第２の演算手段）
８  車両駐車スペース識別番号入力手段
９  車両入庫センサー手段
１０  車両入出庫制御手段
１０’  車両入出庫制御演算手段
１１  駐車情報記憶手段
１２  駐車料金に対するサービスプログラム記憶手段（第５の記憶手段Ｍ５）
１３  駐車料金修正手段（第３の演算手段）
１５  特別駐車券挿入手段
１６  特別駐車券発券手段
１７  特別駐車券の有効性判断手段（第４の演算手段）
１８  同一月内での駐車料金積算手段（第５の演算手段）
１９  特別駐車券の駐車情報読み取り手段
２５  通常駐車料金演算プログラム記憶手段（第１の記憶手段Ｍ１）
２６  駐車料金精算手段
２７  在車ファイル
２８  特別駐車券出庫ファイル
２９  駐車料無料化判断手段
３０  データ保持装置、記憶装置
３１  駐車料金記憶手段
３２  月極め上限駐車料金設定装置
３３  日極め上限駐車料金設定装置
３４  日内累積駐車料金記憶装置
３５  月内累積駐車料金記憶装置
３６  特別駐車券情報記憶手段
３７  同一月内駐車料金精算手段
３９  駐車料金無料化判定手段
４２  精算月累積駐車料金演算手段
４３  当月分累積駐車料金演算手段
４５  第１１演算手段
４６  第１２演算手段
４７  駐車料金請求手段
４８  車両入出庫制御手段
４９  最先月駐車料金演算手段
５０  最先入庫月累積駐車料金演算手段
５１  第２判断手段
５２  第１３の演算手段
５３  第１４の演算手段
５４  第１５の演算手段
５５  第３判断手段
５６  第１６の演算手段
５７  第１７の演算手段
５８  第１８の演算手段
５９  駐車関情報消去手段
７０  第１判定手段
１００  駐車場管理システム
１１１  入庫時刻情報記憶手段（第２の記憶手段Ｍ２）
１１２  車両駐車スペース識別番号記憶手段（第３の記憶手段Ｍ３）
１１３  出庫時刻情報記憶手段（第４の記憶手段Ｍ４）
１１４  車両駐車スペース管理情報記憶手段（第６の記憶手段Ｍ６）
１３５  日極め上限駐車料金設定手段
１３６  日極めの駐車料金積算装置
２００  車両入出庫管理装置
２０１  打ち切り時刻設定手段
【図１】
2013125485.tif 000003
【図２】
2013125485.tif 000004
【図３】
2013125485.tif 000005
【図４】
2013125485.tif 000006
【図５】
2013125485.tif 000007
【図６】
2013125485.tif 000008
【図７】
2013125485.tif 000009
【図８】
2013125485.tif 000010
【図９】
2013125485.tif 000011
【図１０】
2013125485.tif 000012
【図１１】
2013125485.tif 000013
【図１２】
2013125485.tif 000014
【図１３】
2013125485.tif 000015
【図１４】
2013125485.tif 000016
【図１５】
2013125485.tif 000017
【図１６】
2013125485.tif 000018